(57)【要約】【課題】記録媒体にカール等の異常が発生することなく、好ましい画像記録が行われるインクジェット記録装置及び画像記録方法を提供する。【解決手段】用紙１６に浸透抑制剤１を打滴し、用紙１６上に浸透抑制剤層１Ａを形成する。次に、浸透抑制剤層１Ａ上にインク中の色材を凝集させる（または、インクドットを増粘させる）処理液２を打滴するとともに、処理液２を乾燥させて処理液層２Ａを形成する。処理液層２Ａが形成された後に画像データに応じてＣＭＹＫの各色インク３を打滴する。インク３は、２８（ＭＰａ）１／２以下のＳＰ値を有する高沸点有機溶剤を１０％以上９５％以下の比率で含有するので用紙１６に浸透せず、用紙１６のカールが防止される。高沸点有機溶剤の含有比率を１０％以上９０％以下とすると、処理液と反応したインク（色材）の移動が抑制され、好ましい画像記録を行うことができる。【選択図】図１
2009226851.tif 000002
【特許請求の範囲】
【請求項１】
記録媒体上に色材を含有するインクを用いて画像を記録するインクジェット記録装置であって、
前記記録媒体に対して液体が浸透することを抑制する機能を有する第１の処理剤を前記記録媒体に付与する第１処理剤付与手段と、
入力画像データをドットデータに変換する画像処理手段と、
前記画像処理手段で変換されたドットデータに従って、２８（ＭＰａ）１／２以下のＳＰ値を有する水溶性高沸点有機溶剤を１０％以上９５％以下の比率で含有するインクを前記記録媒体に打滴するインク打滴ヘッドと、
を備えたことを特徴とするインクジェット記録装置。
【請求項２】
前記記録媒体を所定の方向に搬送する搬送手段と、
前記第１の処理剤付与手段の記録媒体搬送方向下流側に設けられ、前記記録媒体上の溶媒を除去する第１の溶媒除去手段と、
を備えたことを特徴とする請求項１記載のインクジェット記録装置。
【請求項３】
インク中の色材を凝集させる機能又はインクドットを増粘させる機能を有する第２の処理剤を前記記録媒体に付与する第２の処理剤付与手段を備えたことを特徴とする請求項１又は２記載のインクジェット記録装置。
【請求項４】
前記第２の処理剤付与手段の記録媒体搬送方向下流側に設けられ、前記記録媒体上の溶媒を除去する第２の溶媒除去手段を備えたことを特徴とする請求項３記載のインクジェット記録装置。
【請求項５】
前記第１の処理剤付与手段による第１の処理剤の付与を制御する第１の処理剤付与制御手段と、
前記第２の処理剤付与手段による第２の処理剤付与を制御する第２の処理剤付与制御手段と、
を備え、
前記第１の処理剤付与制御手段は、前記第２の処理剤の付与領域及び前記第２の処理剤の付与領域の周囲領域に前記第１の処理剤を付与するように前記第１の処理剤付与手段を制御し、
前記第２の処理剤付与制御手段は、前記インクの打滴領域及び前記インク打滴領域の周囲領域に前記第２の処理剤を付与するように前記第２の処理剤付与手段を制御することを特徴とする請求項３又は４記載のインクジェット記録装置。
【請求項６】
前記第１の処理剤付与手段は第１の処理剤を液滴化して打滴する第１の処理剤打滴ヘッドを含み、
前記第１の処理剤打滴ヘッドの打滴を制御する第１の処理剤打滴制御手段を備えたことを特徴とする請求項１乃至５のうち何れか１項に記載のインクジェット記録装置。
【請求項７】
前記第２の処理剤付与手段は第２の処理剤を液滴化して打滴する第２の処理剤打滴ヘッドを含み、
前記第２の処理剤打滴ヘッドの打滴を制御する第２の処理剤打滴制御手段を備えたことを特徴とする請求項３乃至６うち何れか１項に記載のインクジェット記録装置。
【請求項８】
前記第１の処理剤打滴制御手段は、前記第２の処理剤打滴ヘッドの打滴点及び前記第２の処理剤打滴ヘッドの打滴点に隣接する打滴点を含む周囲の打滴点に前記第１の処理剤を打滴するように前記第１の処理剤打滴ヘッドの打滴を制御することを特徴とする請求項７記載のインクジェット記録装置。
【請求項９】
前記第１の処理剤打滴制御手段は、前記第２の処理剤打滴ヘッドによって第２の処理剤が打滴された打滴点と同一打滴点に対して、当該打滴点における第２の処理剤のドットよりも大きいサイズを有する第１の処理剤のドットを形成するように前記第１の処理剤打滴ヘッドの打滴を制御することを特徴とする請求項７記載のインクジェット記録装置。
【請求項１０】
前記画像処理手段は、前記第１の処理剤の打滴密度が前記第２の処理剤の打滴密度よりも小さくなるよう前記第１の処理剤のドットデータ及び前記第２の処理剤のドットデータを生成することを特徴とする請求項７記載のインクジェット記録装置。
【請求項１１】
前記第１の処理剤付与制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とする請求項６乃至１０のうち何れか１項に記載のインクジェット記録装置。
【請求項１２】
記録媒体の種類を判断する記録媒体判断手段を備え、
前記第１の処理剤付与制御手段は、カールが発生しにくい記録媒体を使用する場合には、カールが発生しやすい記録媒体を用いる場合よりも第１の処理剤の付与量を減らすように第１の処理剤付与手段を制御することを特徴とする請求項５乃至１１のうち何れか１項に記載のインクジェット記録装置。
【請求項１３】
前記第２の処理剤の付与量を算出する第２の処理剤付与量算出手段と、
インクの付与量を算出するインク付与量算出手段と、
を備え、
前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とする請求項５乃至１２のうち何れか１項に記載のインクジェット記録装置。
【請求項１４】
前記第２の処理剤付与量算出手段は、前記画像処理手段によって変換された第２の処理剤のドットデータに基づいて第２の処理剤の付与量を算出することを特徴とする請求項１３記載のインクジェット記録装置。
【請求項１５】
前記第２の処理剤付与量算出手段は、複数の領域に分割された前記記録媒体の領域ごとに第２の処理剤の付与量を算出し、
前記第２の処理剤付与制御手段は、前記領域ごとに第２の処理剤の付与を制御することを特徴とする請求項１３又は１４記載のインクジェット記録装置。
【請求項１６】
前記しきい値は、記録媒体ごとに設定されることを特徴とする請求項１３、１４又は１５記載のインクジェット記録装置。
【請求項１７】
前記インク打滴ヘッドの打滴異常を検出する異常検出手段を備え、
前記第１の処理剤付与制御手段は、前記異常検出手段によって検出された打滴異常箇所に対応する記録媒体上の位置には前記第１の処理剤を付与しないように前記第１の処理剤付与手段を制御することを特徴とする請求項５乃至１６のうち何れか１項に記載のインクジェット記録装置。
【請求項１８】
前記第１の処理剤付与制御手段は、前記異常検出手段によって検出された打滴異常箇所に対応する記録媒体上の位置及び前記打滴異常箇所に対応する記録媒体上の位置に隣接する位置には前記第１の処理剤を付与しないように前記第１の処理剤付与手段を制御することを特徴とする請求項１７記載のインクジェット記録装置。
【請求項１９】
前記第１の処理剤は、油性溶媒に樹脂粒子を分散させた液体若しくは、油性溶媒に樹脂を溶解させた液体を含むことを特徴とする請求項１乃至１８のうち何れか１項に記載のインクジェット記録装置。
【請求項２０】
前記第１の処理剤は、ワックスを含むことを特徴とする請求項１乃至１８に記載のインクジェット記録装置。
【請求項２１】
記録媒体上に色材を含有するインクを用いて画像を記録する画像記録方法であって、
前記記録媒体に対して液体が浸透することを抑制する機能を有する第１の処理剤を前記記録媒体に付与する第１の処理剤付与工程と、
前記第１の処理剤付与工程の後に、入力画像データから変換されたドットデータに従い前記第１の処理剤が付与された記録媒体にＳＰ値が２８（ＭＰａ）１／２以下の水溶性高沸点有機溶剤を１０％以上９５％未満含有するインクを打滴するインク打滴工程と、
を含むことを特徴とする画像記録方法。
【請求項２２】
前記第１の処理剤付与工程の後に、前記第１の処理剤が付与された記録媒体に前記インク中の色材を凝集させる機能或いはインクドットを増粘させる機能を有する第２の処理剤を付与する第２の処理剤付与工程を含むことを特徴とする請求項２１記載の画像記録方法。
【発明の詳細な説明】
【技術分野】
【０００１】
本発明はインクジェット記録装置及び画像記録方法に係り、特に画像記録後の記録媒体に発生するカール等を防止する画像記録技術に関する。
【背景技術】
【０００２】
一般の印刷等で用いられる、アート紙やコート紙等の「塗工紙」や、上質紙等の「非塗工紙」に水性のインクジェットを用いて印刷を行うと、用紙のセルロース繊維間の水素結合の切断、再結合により、「カール」と呼ばれる紙の変形が発生する、という問題が知られている。「カール」の防止策としては、インクに糖類等のカール防止剤を添加する方法や、搬送部の紙抑え機構を強力なものとして強制的にカールを抑える機構を持つ方式などがあるが、いずれも十分にカールを抑えることはできていない。
【０００３】
特許文献１には、インク記録に先立って紙にアルコールを付与し、記録位置では紙が実質的に乾燥した状態に至らしめ、その後に画像を記録する記録装置が開示されており、特許文献１では、セルロース繊維間の水素結合による結合点に存在する水酸基にアルコール液の水酸基が結合することによって、後から水がやってきてもアルコール液の疎水基部分により水分子が排除され繊維同士の結合点に到達できないため、紙が乾燥する過程で、繊維間の結合点の移動が起こりにくくなり、用紙のカールが抑制されるという効果を得ている。
【０００４】
また、特許文献２には、水溶性有機溶剤のうち最も多く含有する水溶性有機溶剤のＳＰ値（溶解度パラメータ）が１６．５（ＭＰａ）１／２以上２４．６（ＭＰａ）１／２未満であり、更に、該ＳＰ値が１６．５（ＭＰａ）１／２以上２４．６（ＭＰａ）１／２未満の水溶性有機溶剤の含有量が全インク質量の３０質量％以上である水系インクジェットインクを固定長尺インクジェット記録ヘッドに供給し、減圧吸引手段によって搬送テーブルに保持されて搬送される普通紙に該インクジェット記録ヘッドから該水系インクジェットインクを出射して１パスで印字する方法が開示されている。かかる構成によって水系のインクジェットインクを用いた場合にもコックリングを防止し得る旨が記載されている。
【特許文献１】特開２００４−１３６４５８号公報
【特許文献２】特開２００７−１７５９２２号公報
【発明の開示】
【発明が解決しようとする課題】
【０００５】
しかしながら、特許文献１に記載された紙カール抑制方法及び記録装置では、アルコールを水性インク打滴前に紙に付与するため、インクのハジキや画像のにじみが出るという問題があることが分かった。この問題を解決するために、アルコール液を紙に付与した後に紙表面を乾燥させるとよいが、アルコール液を付与した後の紙表面を乾燥させてしまうと、その後にインクを打滴した際にカールが発生してしまうという問題があることも分かった。
【０００６】
一方、特許文献２には、ＳＰ値が１６．５（ＭＰａ）１／２以上２４．６（ＭＰａ）１／２未満の水溶性有機溶剤の含有量が、全インク質量の３０質量％以上である水系インクジェット用インクを使用することによりカールを抑制することが記載されているが、インクジェット用普通紙や印刷用の汎用コート紙を使用する場合にはカールを十分に抑制することが出来ないということがわかった。また、凝集処理液剤を付与した後にインクを打滴し、色材を凝集させることによって、インクのにじみ等の画像異常の発生を防止する画像形成方法を適用する場合には、例えば、１パスで高速画像記録を行うときのように、凝集処理液剤付与からインク打滴までの時間が短い場合には（記録媒体上に液体状の凝集処理液が存在する場合には）、凝集処理液剤を付与した後にインクを打滴すると、凝集処理液中で凝集した色材が浮遊し、所望の位置に留まらず、結果として出力画像が所望の画像と比べて大きく乱れてしまうという新たな問題が発生することが判明した。
【０００７】
本発明はこのような事情に鑑みてなされたもので、記録媒体にカール等の異常が発生することなく、好ましい画像記録が行われるインクジェット記録装置及び画像記録方法を提供することを目的とする。
【課題を解決するための手段】
【０００８】
上記目的を達成するために、本発明に係るインクジェット記録装置は、記録媒体上に色材を含有するインクを用いて画像を記録するインクジェット記録装置であって、前記記録媒体に対して液体が浸透することを抑制する機能を有する第１の処理剤を前記記録媒体に付与する第１処理剤付与手段と、入力画像データをドットデータに変換する画像処理手段と、前記画像処理手段で変換されたドットデータに従って、２８（ＭＰａ）１／２以下のＳＰ値を有する水溶性高沸点有機溶剤を１０％以上９５％以下の比率で含有するインクを前記記録媒体に打滴するインク打滴ヘッドと、を備えたことを特徴とする。
【０００９】
本発明によれば、インクの記録媒体への浸透を抑制する浸透抑制剤を付与するため、記録媒体へのインクの浸透がより抑制され、更に、記録媒体に画像を形成するインク中にＳＰ値が２８（ＭＰａ）１／２以下の高沸点有機溶剤を１０％以上９５％以下の比率で含有するので、インクが記録媒体に浸透した場合でも、記録媒体のセルロース繊維間の水素結合の切断、再結合を防止される。したがって、記録媒体へのインクの浸透抑制効果がより高くなり、インクの浸透による記録媒体のカールが防止される。また、本発明は様々な種類の記録媒体に対して適用可能であり、様々な記録媒体を使用することが可能となる。
【００１０】
即ち、第１の処理剤によって記録媒体へのインクの浸透はある程度抑制されるものの、記録媒体の種類やインクの打滴量を考慮すると、第１の処理剤の機能のみでは記録媒体へのインクの浸透を完全に抑えることは困難である。しかし、インク中に含有する高沸点有機溶剤のＳＰ値を２８（ＭＰａ）１／２以下とするとともに、当該高沸点有機溶剤の含有量を１０％以上９５％以下とすることで、記録媒体へのインクの浸透抑制機能をより高くすることができる。
【００１１】
本発明における「媒体」とは、インクによって所望の画像が形成される部材であって、少なくとも紙などの浸透性を有する媒体が含まれている。また、「画像」には立体形状や模様、パターンを含む広い概念の画像を含んでいる。
【００１２】
「インク」とは、少なくとも色材を含有し、媒体上に定着して画像を構成する液体である。
【００１３】
「高沸点有機溶剤」とは、インク打滴工程におけるインクの温度において実質的に乾燥しない溶媒であり、なおかつ、インク中に樹脂粒子が分散又は溶解している場合に、樹脂の溶解又は分散を阻害しない溶媒である。具体的にはインク打滴工程におけるインクの温度における飽和蒸気圧が１ｋＰａ以下である溶媒であり、好ましくは飽和蒸気圧が０．１ｋＰａ以下である溶媒である。
【００１４】
請求項２に記載の発明は、請求項１記載のインクジェット記録装置の一態様に係り、前記記録媒体を所定の方向に搬送する搬送手段と、前記第１の処理剤付与手段の記録媒体搬送方向下流側に設けられ、前記記録媒体上の溶媒を除去する第１の溶媒除去手段と、を備えたことを特徴とする。
【００１５】
請求項２に記載の発明によれば、第１の処理剤の溶媒成分を除去することで、第１の処理剤（溶媒成分）の記録媒体への浸透が抑制される。
【００１６】
第１の溶媒除去手段は、第１の処理剤が付与された記録媒体を加熱する加熱手段を含んでいてもよいし、第１の処理剤が付与された記録媒体に風（乾燥風）を付与する送風手段を含んでいてもよい。更に、加熱手段と送風手段の両方を備える態様（例えば、温風を送風する態様）がより好ましい。
【００１７】
請求項３に記載の発明は、請求項１又は２記載のインクジェット記録装置の一態様に係り、インク中の色材を凝集させる機能又はインクドットを増粘させる機能を有する第２の処理剤を前記記録媒体に付与する第２の処理剤付与手段を備えたことを特徴とする。
【００１８】
請求項３に記載の発明によれば、第２の処理剤上にインクを打滴したときに発生するインクドットの移動を防止することができる。また、インクを凝集又は増粘させる機能を有する第２の処理剤を用いることで、記録媒体上におけるインクの打滴干渉が防止される。
【００１９】
請求項４に記載の発明は、請求項３記載のインクジェット記録装置の一態様に係り、前記第２の処理剤付与手段の記録媒体搬送方向下流側に設けられ、前記記録媒体上の溶媒を除去する第２の溶媒除去手段を備えたことを特徴とする。
【００２０】
請求項４に記載の発明によれば、第２の処理剤の記録媒体への浸透が抑制されるので、記録媒体のカール抑制効果がより高くなる。
【００２１】
請求項２に記載した第１の溶媒除去手段と同様に、第２の溶媒除去手段は、第２の処理剤が付与された記録媒体を加熱する加熱手段を含んでいてもよいし、第２の処理剤が付与された記録媒体に風（乾燥風）を付与する送風手段を含んでいてもよいし、加熱手段と送風手段の両方を備えてもよい。
【００２２】
請求項２に記載した第１の溶媒除去手段と第２の溶媒除去手段を共通化して、前記第２の処理剤付与手段の記録媒体搬送方向下流側に設ける態様も好ましい。
【００２３】
請求項５に記載の発明は、請求項３又は４記載のインクジェット記録装置の一態様に係り、前記第１の処理剤付与手段による第１の処理剤の付与を制御する第１の処理剤付与制御手段と、前記第２の処理剤付与手段による第２の処理剤付与を制御する第２の処理剤付与制御手段と、を備え、前記第１の処理剤付与制御手段は、前記第２の処理剤の付与領域及び前記第２の処理剤の付与領域の周囲領域に前記第１の処理剤を付与するように前記第１の処理剤付与手段を制御し、前記第２の処理剤付与制御手段は、前記インクの打滴領域及び前記インク打滴領域の周囲領域に前記第２の処理剤を付与するように前記第２の処理剤付与手段を制御することを特徴とする。
【００２４】
請求項５に記載の発明によれば、第１の処理剤が存在する領域に第２の処理剤を付与するので、第１の処理剤の機能による第２の処理剤の記録媒体への浸透が抑制される。
【００２５】
請求項６に記載の発明は、請求項１乃至５のうち何れか１項に記載のインクジェット記録装置の一態様に係り、前記第１の処理剤付与手段は第１の処理剤を液滴化して打滴する第１の処理剤打滴ヘッドを含み、前記第１の処理剤打滴ヘッドの打滴を制御する第１の処理剤打滴制御手段を備えたことを特徴とする。
【００２６】
請求項６に記載の発明によれば、インクドットが形成される領域又は第２の処理剤が付与される領域に対して第１の処理剤を選択的に付与することができ、第１の処理剤の消費量低減化に寄与するとともに、記録媒体上に付与される液体の全体量の低減化に寄与する。記録媒体上に付与される液体の全体量が低減化されると、記録媒体のカール抑制効果がより高くなる。
【００２７】
打滴ヘッドの構成として、液体を吐出する吐出口と、吐出口と連通する液室と、液室内の液体を加圧する加圧手段と、を備える態様が挙げられる。
【００２８】
請求項７に記載の発明は、請求項３乃至６うち何れか１項に記載のインクジェット記録装置の一態様に係り、前記第２の処理剤付与手段は第２の処理剤を液滴化して打滴する第２の処理剤打滴ヘッドを含み、前記第２の処理剤打滴ヘッドの打滴を制御する第２の処理剤打滴制御手段を備えたことを特徴とする。
【００２９】
請求項７に記載の発明によれば、第２の処理剤をインクドットが形成される領域に対して選択的に付与することができ、第２の処理剤の消費量低減化に寄与するとともに、記録媒体上に付与される液体の全体量の低減化に寄与する。記録媒体上に付与される液体の全体量が低減化されると、記録媒体のカール抑制効果がより高くなる。
【００３０】
請求項８に記載の発明は、請求項７記載のインクジェット記録装置の一態様に係り、前記第１の処理剤打滴制御手段は、前記第２の処理剤打滴ヘッドの打滴点及び前記第２の処理剤打滴ヘッドの打滴点に隣接する打滴点を含む周囲の打滴点に前記第１の処理剤を打滴するように前記第１の処理剤打滴ヘッドの打滴を制御することを特徴とする。
【００３１】
請求項８に記載の発明によれば、効果的に記録媒体のカールを防止するとともに、記録画像の高画質形成を実現可能である。
【００３２】
第２の処理剤打滴制御手段は、インク打滴ヘッドの打滴点及びインク打滴ヘッドの打滴点に隣接する打滴点を含む周囲の打滴点に第２の処理剤を打滴するように第２の処理剤打滴ヘッドを制御する態様が好ましい。
【００３３】
請求項９に記載の発明は、請求項７記載のインクジェット記録装置の一態様に係り、前記第１の処理剤打滴制御手段は、前記第２の処理剤打滴ヘッドによって第２の処理剤が打滴された打滴点と同一打滴点に対して、当該打滴点における第２の処理剤のドットよりも大きいサイズを有する第１の処理剤のドットを形成するように前記第１の処理剤打滴ヘッドの打滴を制御することを特徴とする。
【００３４】
請求項９に記載の発明によれば、第１の処理剤のドットのサイズを第２の処理剤のドットのサイズよりも大きくすることで、効果的なカール防止と高画質形成を実現可能である。
【００３５】
第２の処理剤付与制御手段は、インク打滴ヘッドによってインクが打滴された打滴点と同一打滴点に対して、当該打滴点におけるインクのドットよりも大きいサイズを有する第２の処理剤のドットを形成するように前記第２の処理剤打滴ヘッドの打滴を制御し、第１の処理剤のドット、第２の処理剤のドット、インクのドットの順にドットサイズを小さくする態様がより好ましい。
【００３６】
請求項１０に記載の発明は、請求項７記載のインクジェット記録装置の一態様に係り、前記画像処理手段は、前記第１の処理剤の打滴密度が前記第２の処理剤の打滴密度よりも小さくなるよう前記第１の処理剤のドットデータ及び前記第２の処理剤のドットデータを生成することを特徴とする。
【００３７】
請求項１０に記載の発明によれば、第２の処理剤の打滴位置に対して第１の処理剤によるドットを打滴することができ、効果的なカール防止と高画質形成が実現可能である。
【００３８】
請求項１１に記載の発明は、請求項６乃至１０のうち何れか１項に記載のインクジェット記録装置の一態様に係り、前記第１の処理剤付与制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とする。
【００３９】
請求項１１に記載の発明によれば、インクジェット方式では最初の打滴において打滴異常が発生しやすいので、インクの打滴に先立ち第１の処理剤及び第２の処理剤を打滴することで、第１の処理剤及び第２の処理剤の最初の打滴に打滴異常が発生したとしても第１の処理剤を第２の処理剤の打滴エリアに対して確実に打滴することができる。
【００４０】
第２の処理剤付与制御手段は、前記インク打滴ヘッドによってインクが打滴される打滴点よりも前記記録媒体の搬送方向下流側の打滴点に第２の処理剤を打滴するように前記第２の処理剤打滴ヘッドの打滴を制御すると、第２の処理剤打滴ヘッドの最初の打滴に打滴異常が発生したとしても、第２の処理剤をインクの打滴領域に対して確実に打滴することが可能となる。
【００４１】
請求項１２に記載の発明は、請求項５乃至１１のうち何れか１項に記載のインクジェット記録装置の一態様に係り、記録媒体の種類を判断する記録媒体判断手段を備え、前記第１の処理剤付与制御手段は、カールが発生しにくい記録媒体を使用する場合には、カールが発生しやすい記録媒体を用いる場合よりも第１の処理剤の付与量を減らすように第１の処理剤付与手段を制御することを特徴とする。
【００４２】
請求項１２に記載の発明によれば、記録媒体の種類に応じて第１の処理剤の付与量が最適化されるので、記録媒体のカールを効果的に防止することができるとともに、インクにじみのない高品質の画像記録が実現される。
【００４３】
請求項１３に記載の発明は、請求項５乃至１２のうち何れか１項に記載のインクジェット記録装置の一態様に係り、第２の処理剤の付与量を算出する第２の処理剤付与量算出手段と、インクの付与量を算出するインク付与量算出手段と、を備え、前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とする。
【００４４】
請求項１３に記載の発明によれば、第２の処理剤の付与量及びインクの付与量の総量が少量であり、記録媒体にカールが発生する可能性が低い場合には、第１の処理剤を付与しないように第１の処理剤付与を制御するので、第１の処理剤の消費量が低減されるとともに、記録媒体の質感の変化が低減される。
【００４５】
請求項１４に記載の発明は、請求項１３記載のインクジェット記録装置の一態様に係り、前記第２の処理剤付与量算出手段は、前記画像処理手段によって変換された第２の処理剤のドットデータに基づいて第２の処理剤の付与量を算出することを特徴とする。
【００４６】
請求項１４に記載の発明によれば、演算によって第２の処理剤の付与量を算出するので、第２の処理剤の付与量の実測が不要である。なお、第２の処理剤のドットデータは、インクのドットデータと同様の方法によって生成可能である。
【００４７】
インク付与量算出手段は、画像処理手段によって変換されたインクのドットデータに基づいてインクの付与量を算出する態様が好ましい。
【００４８】
請求項１５に記載の発明は、請求項１３又は１４記載のインクジェット記録装置の一態様に係り、前記第２の処理剤付与量算出手段は、複数の領域に分割された前記記録媒体の領域ごとに第２の処理剤の付与量を算出するとともに、前記インク付与量算出手段は、前記領域ごとにインクの付与量を算出し、前記第２の処理剤付与制御手段は、前記領域ごとに第２の処理剤の付与を制御することを特徴とする。
【００４９】
請求項１５に記載の発明によれば、画像領域を複数の領域に分割し、当該領域ごとに第２の処理剤の付与量を算出するので、必要な領域のみに第２の処理剤が付与され、第２の処理剤の消費量が低減されるとともに、非画像部の質感を維持することができる。
【００５０】
請求項１６に記載の発明は、請求項１３、１４又は１５記載のインクジェット記録装置の一態様に係り、前記しきい値は、記録媒体ごとに設定されることを特徴とする。
【００５１】
請求項１６に記載の発明によれば、記録媒体の種類に応じて最適な第１の処理剤の付与が行われる。
【００５２】
請求項１７に記載の発明は、請求項５乃至１６のうち何れか１項に記載のインクジェット記録装置の一態様に係り、前記インク打滴ヘッドの打滴異常を検出する異常検出手段を備え、前記第１の処理剤付与制御手段は、前記異常検出手段によって検出された打滴異常箇所に対応する記録媒体上の位置には前記第１の処理剤を付与しないように前記第１の処理剤付与手段を制御することを特徴とする。
【００５３】
請求項１７に記載の発明によれば、インク打滴ヘッドの打滴異常によってインクが打滴されない位置には第１の処理剤を付与しないので、当該打滴異常の発生箇所の周辺に打滴されたインクがにじみ、打滴異常に起因するスジムラ等の画像異常の視認性を下げることができる。特に、隣接するドットが互いに重なり合うような高解像度の画像において、ドット被覆率が高い画像を記録する場合に効果を発揮する。
【００５４】
請求項１８に記載の発明は、請求項１７記載のインクジェット記録装置の一態様に係り、前記第１の処理剤付与制御手段は、前記異常検出手段によって検出された打滴異常箇所に対応する記録媒体上の位置及び前記打滴異常箇所に対応する記録媒体上の位置に隣接する位置には前記第１の処理剤を付与しないように前記第１の処理剤付与手段を制御することを特徴とする。
【００５５】
請求項１８に記載の発明によれば、インク打滴ヘッドに打滴異常が発生しても、当該打滴異常に対応する位置の周辺のインクドットをにじませることで、画像異常の視認性を下げることができる。
【００５６】
請求項１９に記載の発明は、請求項１乃至１８のうち何れか１項に記載のインクジェット記録装置の一態様に係り、前記第１の処理剤は、油性溶媒に樹脂粒子を分散させた液体若しくは、油性溶媒に樹脂を溶解させた液体を含むことを特徴とする。
【００５７】
請求項１９に記載の発明によれは、第１の処理剤自身が浸透性を有する記録媒体に対して非浸透性または難浸透性を有するので、好ましい。
【００５８】
請求項２０に記載の発明は、請求項１乃至１８に記載のインクジェット記録装置の一態様に係り、前記第１の処理剤は、ワックスを含むことを特徴とする。
【００５９】
請求項２０に記載の発明によれば、第１の処理剤が記録媒体に浸透することなく、記録媒体の表面に好ましい第１の処理剤層が形成される。
【００６０】
また、本発明は上記目的を達成するための方法発明を提供する。請求項２１に記載の発明に係る画像記録方法は、記録媒体上に色材を含有するインクを用いて画像を記録する画像記録方法であって、前記記録媒体に対して液体が浸透することを抑制する機能を有する第１の処理剤を前記記録媒体に付与する第１の処理剤付与工程と、前記第１の処理剤付与工程の後に、入力画像データから変換されたドットデータに従い前記第１の処理剤が付与された記録媒体にＳＰ値が２８（ＭＰａ）１／２以下の水溶性高沸点有機溶剤を１０％以上９５％未満含有するインクを打滴するインク打滴工程と、を含むことを特徴とする。
【００６１】
第１の処理剤を付与後に第１の処理剤の溶媒を除去する（乾燥させる）第１の溶媒除去工程（第１の乾燥工程）を含む態様が好ましい。
【００６２】
請求項２２に記載の発明は、請求項２１記載の画像記録方法の一態様に係り、前記第１の処理剤付与工程の後に、前記第１の処理剤が付与された記録媒体に前記インク中の色材を凝集させる機能或いはインクドットを増粘させる機能を有する第２の処理剤を付与する第２の処理剤付与工程を含むことを特徴とする。
【００６３】
第２の処理剤を付与後に第２の処理剤の溶媒を除去する（乾燥させる）第２の溶媒除去工程（第２の乾燥工程）を含む態様が好ましい。
【発明の効果】
【００６４】
本発明によれば、インクの記録媒体への浸透を抑制する浸透抑制剤を付与するため、記録媒体へのインクの浸透がより抑制され、更に、記録媒体に画像を形成するインク中にＳＰ値が２８（ＭＰａ）１／２以下の高沸点有機溶剤を１０％以上９５％以下の比率で含有するので、インクが記録媒体に浸透した場合でも、記録媒体のセルロース繊維間の水素結合の切断、再結合を防止される。したがって、記録媒体へのインクの浸透抑制効果がより高くなり、インクの浸透による記録媒体のカールが防止される。更に、適用可能な記録媒体の種類を拡大することが可能である。
【発明を実施するための最良の形態】
【００６５】
以下、添付図面に従って本発明の好ましい実施の形態について詳説する。
【００６６】
〔画像記録方法の説明〕
図１(a)〜(c)には、本発明の実施形態に係る画像記録方法を模式的に図示した。本例に示す画像記録方法は、図１(a)に図示する浸透抑制剤付与工程と、図１(b)に図示する処理液付与工程と、図１(c)に示すインク打滴工程と、を含んで構成されている。
【００６７】
図１(a)に示す浸透抑制剤付与工程は、用紙１６（例えば、インクジェット用普通紙や印刷用のコート紙などの浸透性を有する媒体）に水及び親水的な有機溶剤の浸透を抑制する浸透抑制剤（第１の処理剤；液滴化された浸透抑制剤を符号１で図示）を付与する。浸透抑制剤としては、有機溶剤にラテックスを分散した溶液、有機溶剤にポリマーを溶解した溶液、ワックス等が好適に用いられる。有機溶剤としては、メチルエチルケトン、石油類等の非水性溶剤（溶剤自体が紙のカールを発生させないもの）が好適に用いられる。浸透抑制剤の付与方法としては、インクジェット方式による打滴や（ノズル５１から浸透抑制剤を微液滴化して打滴する態様を図１(a)に図示）、スプレー塗布、ローラ塗布等が好適に用いられる。インクジェット方式を適用する場合には、浸透抑制剤を後述する色材入りインクの打滴箇所及びその周辺のみに選択的に付与することができ、好適である。更に、浸透抑制剤を付与した後に、加熱処理を施して浸透抑制剤の溶媒成分を蒸発させるとともに、樹脂成分（ラテックス、溶解ポリマーなど）を皮膜化させることが好ましい。
【００６８】
また、図１(b)に示す処理液（第２の処理剤）付与工程は、浸透抑制剤付与工程によって用紙１６の表面に浸透抑制層１Ａが形成された後に、後述の色材入りインク（図１(c)に符号３で図示）中の色材（顔料もしくは染料）を凝集若しくは増粘させる成分を持つ物質（処理液、第２の処理剤；図１(b)に微液滴化した処理液２を図示）を付与する。
【００６９】
処理液の具体例として、インクと反応してインク中の色材を析出あるいは不溶化させる処理液や、インク中の色材を含む半固体状の物質（ゲル）を生成する処理液等が挙げられる。そして、インクと処理液との反応を引き起こす方法として、インク中のアニオン性の色材と処理液中のカチオン性の化合物を反応させる方法や、互いにｐＨの異なるインクと処理液を混合させることでインクのｐＨを変化させてインク中の顔料の分散破壊を起こし顔料を凝集させる方法、処理液中に含有する多価金属塩との反応によりインク中の顔料の分散破壊を起こし顔料を凝集させる方法などが挙げられる。
【００７０】
処理液の付与方法としては、浸透抑制剤の付与方法同様に、インクジェット方式による打滴（ノズル５１’から処理液を微液滴化して打滴する態様を図１(b)に図示）、スプレー塗布、ローラ塗布等が好適に用いられる。インクジェット方式を適用する場合には、処理液を後述する色材入りインクの打滴箇所及びその周辺のみに選択的に付与することができ、好適である。
【００７１】
上述したように浸透抑制剤を予め付与している場所（浸透抑制層１Ａ上）に処理液を付与するため、処理液は用紙１６の内部へ浸透しづらくなっている。なお、後述のインク中の色材成分が凝集した後に、用紙１６（浸透抑制層１Ａ）と接着せず処理液層２Ａ中に浮遊してしまうことを防止するために、処理液を付与した後（処理液層２Ａが形成された後）に処理液中の溶媒を乾燥（蒸発）させることが好ましい。
【００７２】
図１(c)には、インク打滴工程は、インクジェット方式で入力画像に対応したドット３Ａを形成するために、ノズル５１”からインク液滴３を打滴する。即ち、予め処理液層２Ａが形成された領域に対して画像データに応じて（画像データを処理して変換されたドットデータに基づいて）インク液滴を打滴し、用紙１６上に所望の画像を記録する。
【００７３】
本例に適用されるインクは、２８．０（ＭＰａ）１／２以下のＳＰ値を有する高沸点有機溶剤（ＨＢＳ）を１０％以上９５％以下の比率で含有している。２８．０（ＭＰａ）１／２以下のＳＰ値を有する高沸点有機溶剤とは、例えば、１，２ヘキサンジオール（ＳＰ値２７．４）やｎＣ４Ｈ９Ｏ（ＡＯ）１０Ｈ（ＡＯ＝ＥＯ又はＰＯで比率は１：１、ＳＰ値１８．８）などが挙げられる。
【００７４】
上述した画像記録方法によれば、インク中に２８．０（ＭＰａ）１／２以下のＳＰ値を有する高沸点有機溶剤を含有するとともに、２８．０（ＭＰａ）１／２以下のＳＰ値を有する高沸点有機溶剤の含有比率を１０％以上９５％以下とすることで、インクが用紙に浸透した場合にも、用紙のセルロース繊維間の水素結合の切断、再結合を抑制することができる。即ち、インク自体により用紙１６への浸透抑制効果を発揮し、用紙１６のカール抑制効果を発揮する。
【００７５】
また、浸透抑制剤の機能によって処理液２の用紙１６内への浸透が抑制され、処理液２が用紙１６に浸透せずに用紙１６の表面に保持されるので、用紙１６（処理液層２Ａ）に着弾したインク液滴３は用紙１６の表面にすばやく定着し、インクのにじみ等の画像異常の発生が防止される。
【００７６】
なお、図１(b)に示す処理液２の付与を省略する態様も可能である。即ち、図１(a)に示す浸透抑制層１Ａ上に図１(c)に示すインク液滴３を直接打滴してもよい。図１(a)に示す浸透抑制層１Ａ上にインク液滴３を打滴すると、浸透抑制層１Ａ上に着弾したインク液滴３は浸透抑制層１Ａの浸透抑制機能によって用紙１６への浸透が抑制され、更に、インク液滴３自体の用紙１６への浸透抑制機能によって更なる浸透抑制効果を発揮し、用紙１６のカールが防止される。
【００７７】
なお、処理液２の付与を省略する態様では、用紙１６上のインク液滴（ドット）３の溶媒を除去する手段（工程）、及びインク液滴３を固化させる固化手段を備える態様が好ましい。固化手段としては、加熱によりインクを固化（増粘）させる態様や、紫外線硬化型インクを用いる場合の紫外線光源などが挙げられる。溶媒を除去する手段（工程）には、吸収ローラ等の吸収部材を接触させる態様や、多数の吸引口を有する吸引部材を接触又は近接させてポンプで吸引する態様が挙げられる。
【００７８】
また、用紙１６に浸透抑制剤及び処理液を付与した後に、用紙１６上の溶媒成分を除去する溶媒除去工程を含む態様が好ましい。処理液付与工程とインク打滴工程の間に溶媒除去工程を行うように構成する態様が好ましい。
【００７９】
〔高沸点有機溶剤の説明〕
次に、本発明に適用される高沸点有機溶剤について説明する。
【００８０】
＜記録媒体の種類とカールの発生＞
下記〔表１〕は、本発明に係る画像記録方法に適用可能な記録媒体（用紙１６）の代表的なものを例示する。
【００８１】
【表１】
2009226851.tif 000003
【００８２】
上記〔表１〕に示す記録媒体の単位面積あたりの質量（記録媒体の厚みの指標）は、特菱アート（商品名、三菱製紙社製）が８４．９（ｇ／ｍ２）、ＯＫトップコート＋（商品名、王子製紙社製）が７３．３（ｇ／ｍ２）、ユーライト（商品名、日本製紙社製）が８４．９（ｇ／ｍ２）、オーロラＬ（商品名、日本製紙社製）が６４．０（ｇ／ｍ２）、キンマリＨｉ−Ｌ（商品名、北越製紙社製）が７３．３（ｇ／ｍ２）である。
【００８３】
下記〔表２〕には、上記〔表１〕に列挙した記録媒体の違いによるカールの発生の有無を調べた実験結果を示す。本評価実験では、浸透抑制層（図１(a)参照）が形成された記録媒体上にベタ画像を記録し、カールの有無、カールの程度を評価した。
【００８４】
インクには、グリセリンを１５％含有したもの、高沸点有機溶剤を含有しないもの、ＧＰ−２５０を１５％含有したものを用いた。インク打滴量は１０（ｇ／ｍ２）であり、浸透抑制剤を付与した後に送風乾燥（１２０℃、５秒間）による乾燥処理を行った。
【００８５】
本評価実験では、カールの指標Ｃ（＝１０／Ｒ、但し、Ｒはカールの曲率半径）を導入し、Ｃ＜１の場合は評価○、１≦Ｃ≦２．５の場合は評価△、Ｃ＞２．５の場合は評価×とした。即ち、カール指標Ｃの値が小さいほどカールの程度が小さく、カール抑制効果が大きいといえる。
【００８６】
【表２】
2009226851.tif 000004
【００８７】
上記〔表２〕に示すように、特菱アート（三菱製紙社製）を用いた場合には、グリセリン（ＳＰ値＝４０．９７（ＭＰａ）１／２）を含有するインクを用いると（水準１１，１２：比較例）、浸透抑制層の有無にかかわらずカール評価は×であり、許容範囲を超えたカールが発生してしまう。一方、ＧＰ−２５０（ＳＰ値＝２４．６（ＭＰａ）１／２、トリオキシプロピレングリセリルエーテル、三洋化成工業（株）製）を用いると（水準１８：本発明）、カール評価は○であり、カール抑制効果が高いといえる。なお、特菱アートを用い、高沸点有機溶剤を含有しないインクを用いると（水準１３：比較例）、カール評価は○となった。
【００８８】
他の記録媒体（浸透抑制層あり）に高沸点有機溶剤を含有しないインクを付与すると（水準１４〜１７：比較例）、ＯＫトップコート＋（王子製紙社製）はカール評価が○となり（水準１４）、ユーライトは（日本製紙社製）はカール評価が△となるが（水準１５）、オーロラＬ（日本製紙社製）、キンマリＨｉ−Ｌ（北越製紙社製）はカール評価が×となってしまう（水準１６，１７）。
【００８９】
即ち、比較的厚みが薄い（単位面積あたりの質量が小さい）記録媒体は、高沸点有機溶剤を含有しないインクを用いるとカールが発生しやすいといえる。
【００９０】
これに対して、ＧＰ−２５０を含有するインクを用いると、上記〔表１〕に挙げたすべての記録媒体でカール評価は○（水準１８〜２１：本発明）又は△（水準２２：本発明）となった。即ち、ＳＰ値が２４．６（ＭＰａ）１／２のＧＰ−２５０は、インクに含有する高沸点有機溶剤として好適である。
【００９１】
＜高沸点有機溶剤の種類とカールの発生＞
下記〔表３〕には、インク中に含有する高沸点有機溶剤（ＨＢＳ種）の違いによる記録媒体のカールの有無を調べた評価実験の結果を示す。本評価実験では、記録媒体にはユーライトを用い、下記〔表３〕に示す９種類の高沸点有機溶剤を１５％含有したインクを用いた。なお、本評価実験の打滴条件及び乾燥条件は、上述した「記録媒体の種類とカールの発生」の評価実験と同一である。また、下記〔表３〕に示したインク粘度は２０℃環境下において計測した値である。
【００９２】
【表３】
2009226851.tif 000005
【００９３】
上記〔表３〕中の高沸点有機溶剤の符号Ａ〜Ｇの意味は以下のとおりである。
Ａ：ジエチレングリコール
Ｂ：１，２ヘキサンジオール
Ｃ：ジプロピレングリコール
Ｄ：トリプロピレングリコール
Ｅ：ジエチレングリコールモノエチルエーテル
Ｆ：トリエチレングリコールモノブチルエーテル
Ｇ：ｎＣ４Ｈ９Ｏ(ＡＯ)１０Ｈ（但し、ＡＯ=ＥＯ又はＰＯで比率は１：１）
上記〔表３〕に示すように、グリセリンを含有するインクを用いる場合と（水準３１：比較例）、ＳＰ値が３０．６２（ＭＰａ）１／２の高沸点有機溶剤Ａを含有するインクを用いる場合には（水準３２：比較例）、カール評価は×であり、許容範囲よりも大きなカールが発生してしまう。
【００９４】
一方、高沸点有機溶剤Ｂ〜Ｇ（ＳＰ値：１８．８（ＭＰａ）１／２〜２７．４（ＭＰａ）１／２）及びＧＰ−２５０を含有するインクを用いる場合には（水準３３〜３９：本発明）カール評価は○であり、記録媒体のカール抑制効果を発揮しているといえる。
【００９５】
即ち、インクに含有される高沸点有機溶剤の好ましいＳＰ値は２７．４（２８．０）以下である。
【００９６】
（高沸点有機溶剤とカール及び色材浮遊の発生）
下記〔表４〕には、インクに含有する高沸点有機溶剤の含有比率（含有量）の違いによるカール発生の有無及び色材浮遊の有無を調べた評価実験の結果を示す。
【００９７】
本評価実験では、高沸点有機溶剤として、ＧＰ−２５０及びジエチレングリコールモノエチルエーテル（Ｅ）の含有比率をそれぞれ５％〜９５％の範囲で変えた。また、記録媒体としてユーライトを用い、打滴条件及び乾燥条件は先の評価実験と同一である。なお、色材浮遊を評価する際には、記録媒体上に格子状（線間が１０ドットおき）の画像を形成し、顕微鏡により当該画像を拡大して線間隔のズレを計測した。
【００９８】
「色材浮遊」とは、記録媒体上でインクを凝集又は増粘させる機能を持つ処理液とインクを反応させて記録媒体にインクを定着させる２液方式の画像記録において、液体状の処理液にインクを打滴するとインク（ドット）が記録媒体の表面に達する前に処理液中で凝集（増粘）してしまい、当該インクが記録媒体上の所定の着弾位置に定着せずに移動してしまう現象である。
【００９９】
色材浮遊の評価は、所定の着弾位置にドットが形成される場合（色材浮遊が起こらない場合）を評価○、ドットの移動が１ドット未満の場合を評価△、ドットの移動が１ドット以上の場合を評価×とした。
【０１００】
【表４】
2009226851.tif 000006
【０１０１】
上記〔表４〕に示すように、高沸点有機溶剤の含有比率が５％の場合には（水準４１，５０：比較例）カール評価は×であり、記録媒体に許容範囲を超えたカールが発生してしまう。一方、高沸点有機溶剤の含有比率が１０以上９０％以下の場合には（水準４１〜４８、５１〜５７：本発明）、記録媒体にはカールが発生しない。
【０１０２】
なお、高沸点有機溶剤の含有比率が９５％の場合には（水準４９，５８：比較例）、記録媒体にカールは発生しないものの、色材浮遊が発生してしまう。したがって、カール抑制の観点では、高沸点有機溶剤の含有比率は１０％以上９５％以下が好ましく、カールを抑制するとともに２液方式における色材浮遊を防止するという観点では、高沸点有機溶剤の含有比率は１０％以上９０％以下が好ましい。
【０１０３】
上述した評価実験の結果をまとめると、インクに含有する高沸点有機溶剤のＳＰ値は２７．４（２８．０）（ＭＰａ）１／２以下が好ましく、含有比率は１０％以上９０以下が好ましい。より好ましい高沸点有機溶剤の含有比率は１０％以上３０以下である。
【０１０４】
上記の如く構成された画像記録方法によれば、インク中に含有する高沸点有機溶剤のＳＰ値を２８．０（ＭＰａ）１／２以下とするとともに、含有比率を１０％以上９５％以下とすることで、インクが用紙１６に浸透した場合でも、用紙１６のセルロース繊維間の水素結合の切断、再結合を抑制することができ、用紙１６へのインクの浸透を抑制し、用紙１６のカールが防止される。また、高沸点有機溶剤の含有比率を１０％以上９０％以下とすることで、インクを凝集又は増粘させる機能を有する処理液をインクに先立ち用紙１６に付与した場合に起こるインク浮遊を防止することができる。更に、高沸点有機溶剤の含有比率を１０％以上３０以下（カール評価、色材浮遊評価がともに○評価）とするとより好ましい。
【０１０５】
〔装置構成〕
次に、図１(a)〜(c)に示した画像記録方法が適用される画像記録装置（インクジェット記録装置）について説明する。図２は、本発明の実施形態に係るインクジェット記録装置１０の全体構成図である。
【０１０６】
図２に示すように、インクジェット記録装置１０は、ＣＭＹＫ各色に対応するヘッド１２Ｃ，１２Ｍ，１２Ｙ，１２Ｋを含むインク打滴部１２から、用紙搬送部１４によって所定の用紙搬送方向Ａに搬送される用紙１６に対して、ＣＭＹＫ各色のインクを打滴して所望のカラー画像を記録するオンデマンド方式の画像記録装置である。
【０１０７】
インクジェット記録装置１０は、浸透抑制剤（図１(a)参照）を用紙１６に付与する浸透抑制剤付与部１８と、浸透抑制剤中の溶媒を乾燥させる浸透抑制剤乾燥部２０と、乾燥処理が施された浸透抑制剤層（図１(a),(b)参照）に処理液を付与する処理液付与部２２と、処理液中の溶媒を乾燥させる処理液乾燥部２４と、上述したインク打滴部１２と、インク中の溶媒を乾燥させるインク乾燥部２６と、インク色材を用紙１６に定着させる処理を施す定着加圧部２８と、を含んで構成されている。
【０１０８】
即ち、用紙搬送部１４に保持された用紙１６は図２における左から右へ搬送され、先ず浸透抑制剤付与部１８から浸透抑制剤が付与され、浸透抑制剤付与部１８の用紙搬送方向下流側に設けられる浸透抑制剤乾燥部２０によって乾燥処理が施される。その後、浸透抑制剤乾燥部２０の用紙搬送方向下流側に設けられる処理液付与部２２から処理液が付与され、更に、処理液付与部２２の用紙搬送方向下流側に設けられる処理液乾燥部２４によって乾燥処理が施される。
【０１０９】
なお、浸透抑制剤に樹脂粒子を分散又は溶解させた場合には（樹脂粒子を含有する場合には）、浸透抑制剤付与部１８の浸透抑制剤付与領域にヒータ等の加熱手段を備え、用紙１６に付与された浸透抑制剤を樹脂粒子の最低造膜温度（当該樹脂の少なくとも一部が皮膜化する温度）を超える温度に加熱し、用紙１６に付与された浸透抑制剤を皮膜化する態様も好ましい。
【０１１０】
即ち、用紙１６の温度Ｔ１と樹脂粒子の最低造膜温度Ｔｆとの関係が、次式（１）を満たすことが好ましい。
【０１１１】
Ｔ１＞Ｔｆ  …（１）
また、浸透抑制剤乾燥部２０の乾燥温度の乾燥温度Ｔ３及び処理液乾燥部２４の温度Ｔ３’と樹脂粒子のガラス転移点温度Ｔｇ１との関係が、次式（２）、（３）を満たすことが好ましい。
【０１１２】
Ｔ３＜Ｔｇ１  …（２）
Ｔ３’＜Ｔｇ１  …（３）
即ち、浸透抑制剤乾燥部２０の乾燥温度の乾燥温度Ｔ３及び処理液乾燥部２４の温度Ｔ３’が樹脂粒子のガラス転移点温度Ｔｇ１未満の温度とすることで、浸透抑制剤の乾燥処理時及び処理液の乾燥処理時に浸透抑制剤層に亀裂等の劣化が生じることを防止する。
【０１１３】
次に、処理液乾燥部２４の用紙搬送方向下流側に設けられるインク打滴部１２から画像データに応じてインク液滴が打滴され、インク打滴部１２の用紙搬送方向下流側に設けられるインク乾燥部２６によって乾燥処理が施される。
【０１１４】
用紙搬送部１４には、複数のローラに巻き掛けられた無端状のベルトの表面に用紙１６を保持して搬送するベルト搬送や、ドラムの外周面に用紙１６を保持し、ドラムを所定の回動方向に回動させてドラムの外周面上で用紙１６を搬送するドラム搬送などの方式が好適に用いられる。また、用紙搬送部１４に用紙１６を保持する方式には、エアの吸引によるエア吸着、静電気による静電吸着、用紙の端部をニップ保持する方式などの様々な方式を適用することができる。
【０１１５】
本例の浸透抑制剤付与部１８及び処理液付与部２２にはインクジェット方式（インクジェットヘッド）が好適に用いられる。もちろん、インクジェット方式に代わり、塗布ローラ等の塗布部材による塗布方式やスプレー方式などの方式を適用してもよい。
【０１１６】
本例の各乾燥部には共通の構成が適用される。即ち、本例に示す各乾燥部では、媒体上方から（用紙１６の画像記録面側から）乾燥処理が施される。乾燥処理は赤外線乾燥と乾燥風の併用が好ましい。また、インク中の溶媒の乾燥に代わり、もしくは乾燥と併用して、多孔質ローラによる溶媒吸収を行ってもよい。また、用紙１６を保持する構造体（例えば、ベルトやドラムの内部）にヒータを内蔵する態様を適用することも可能である。
【０１１７】
インクの打滴量は浸透抑制剤の打滴量や処理液の打滴量よりも多くなるので、インク打滴部１２の後段に設けられるインク乾燥部２６は、他の乾燥処理部よりも容量を大きくし、強力に乾燥させるように構成する態様が好ましい。
【０１１８】
インク乾燥部２６の用紙搬送方向下流側に設けられる定着加圧部２８では、色材凝集体に対して、０．０１〜２．０ＭＰａ程度の圧力と４０〜１００℃程度の加熱をかけ、インク中の分散ポリマーを溶融させ、用紙１６（図１(a),(b)に図示する浸透抑制層１Ａ）との密着を強化することが好ましい。また、定着加圧部２８に代わって、用紙１６の表面（画像記録面）ラミネート処理を施してもよい。
【０１１９】
なお、浸透抑制剤に樹脂粒子を含有する場合には、定着温度Ｔ２と浸透抑制剤に含有する樹脂粒子のガラス転移点温度Ｔｇ１との関係が、次式（４）を満たすことが好ましい。
【０１２０】
Ｔ２＞Ｔｇ１  …（４）
即ち、定着工程における定着温度（定着処理時の用紙１６の温度）Ｔ２を浸透抑制剤に含有する樹脂粒子のガラス転移点温度Ｔｇ１を超える温度とすることで、用紙１６上の画像（インク色材）と浸透抑制層（樹脂膜）との密着性が向上する。
【０１２１】
また、インク中に樹脂粒子を含有する場合には、定着温度Ｔ２とインク中に含有する樹脂粒子のガラス転移点温度Ｔｇ２との関係が、次式（５）を満たすことが好ましい。
【０１２２】
Ｔ２＞Ｔｇ２  …（５）
即ち、定着温度Ｔ２をインク中に含有する樹脂粒子のガラス転移点温度Ｔｇ２を超える温度とすることで、定着工程時にインクに含有する樹脂粒子が溶融（軟化）し、画像全体の強度が向上する。
【０１２３】
定着加圧部２８の用紙搬送方向には、センサ３０が設けられている。センサ３０は、用紙１６に記録された画像を撮像する撮像素子（ＣＣＤ）を含んで構成される。本例のインクジェット記録装置１０では、センサ３０による撮像結果に基づいて、インク打滴部１２の色ごとに異常（インクの吐出異常）の有無が判断される。
【０１２４】
センサ３０は、カラー画像を読み取り可能に構成されている。例えば、ＲＧＢの各色に対応したフィルタＲＧＢの各色に対応したセンサを別個に備えてもよいし、所定の配列で並べられたＲＧＢの各色に対応したカラーフィルタを備える構成でもよい。また、撮像素子を１列に並べたラインセンサを用いてもよいし、撮像素子を２次元状に並べたエリアセ  ンサを用いてもよい。
【０１２５】
図示は省略するが、インクジェット記録装置１０には、用紙搬送部１４に用紙１６を供給する給紙部が設けられている。複数種類の用紙（記録媒体）を利用可能な構成にした場合（用紙１６が収容されるマガジンを複数備える場合）、紙の種類情報を記録したバーコード或いは無線タグなどの情報記録体を各マガジンに取り付け、その情報記録体の情報を所定の読取装置によって読み取ることで、使用される記録媒体の種類（メディア種）を自動的に判別し、メディア種に応じて適切なインク吐出及び処理液付与、浸透抑制剤の付与を実現するようにインク吐出制御及び処理液付与制御、浸透抑制剤付与制御を行うことが好ましい。
【０１２６】
なお、ロール状に巻かれた長尺の連続用紙等を用いる場合には、浸透抑制剤付与部１８の前段に用紙１６を所定の長さにカットするカッターが設けられている。裁断用のカッターの構成例を挙げると用紙１６の幅以上の長さを有する固定刃と、該固定刃に沿って移動する丸刃とから構成され、印字裏面側に固定刃が設けられ、用紙１６の搬送路を挟んで印字面側に丸刃が配置される構成が挙げられる。
【０１２７】
また、図示は省略するが、インクジェット記録装置１０には、インク打滴部１２の各ヘッド１２Ｃ，１２Ｍ，１２Ｙ，１２Ｋにインクを供給するインク貯蔵／装填部を備えている。インク貯蔵／装填部は、各ヘッド１２Ｃ，１２Ｍ，１２Ｙ，１２Ｋに対応する色のインクを貯蔵するインク供給タンク（図７に符号６０で図示）を有し、各色のインクは所要のインク流路を介して各ヘッド１２Ｃ，１２Ｍ，１２Ｙ，１２Ｋと連通されている。また、インク貯蔵／装填部は、インク残量が少なくなるとその旨を報知する報知手段（表示手段、警告音発生手段）を備えるとともに、色間の誤装填を防止するための機構を有する部材が用いられる。
【０１２８】
なお、上述したインク貯蔵／装填部と同様に、浸透抑制剤付与部１８に対して浸透抑制剤を供給する構成を備えるとともに、処理液付与部２２に対して処理液を供給する構成を備えている。また、本例に示すインクジェット記録装置１０は上述した構成以外にも、用紙搬送部１４の用紙を保持する面の汚れを除去するクリーニング処理部や、用紙搬送路上における用紙１６の位置を検出する位置検出センサ、インク打滴部１２の周辺など装置各部の温度を検出する温度センサ、画像記録後の用紙１６を装置外部に排出する排紙部、上述した各部を用紙搬送路上と所定の退避位置との間を移動させる移動機構などを備えている。
【０１２９】
〔印字部の説明〕
次に、インク打滴部１２について詳説する。図３に示すように、インク打滴部１２の各ヘッド１２Ｃ，１２Ｍ，１２Ｙ，１２Ｋは、用紙１６における画像記録領域の最大幅に対応する長さを有し、そのインク吐出面には画像記録領域の全幅にわたりインク吐出用のノズル（図４に符号５１で図示）が複数配列されたフルライン型のヘッドとなっている。
【０１３０】
ヘッド１２Ｃ，１２Ｍ，１２Ｙ，１２Ｋは、用紙１６の搬送方向（副走査方向；符号Ａで図示）に沿って上流側から黒（Ｋ），シアン（Ｃ），マゼンタ（Ｍ），イエロー（Ｙ）の色順に配置され、それぞれのヘッド１２Ｃ，１２Ｍ，１２Ｙ，１２Ｋが用紙搬送方向と直交する方向（主走査方向）に延在するように固定設置される。
【０１３１】
用紙１６の全幅をカバーするノズル列を有するフルライン型のヘッドを各色インクに対してそれぞれ設ける構成によれば、用紙搬送方向について、用紙１６とインク打滴部１２の各ヘッド１２Ｃ，１２Ｍ，１２Ｙ，１２Ｋとを相対的に移動させる動作を１回行うだけで（即ち、１回の副走査で）、用紙１６の画像記録領域に画像を形成することができる。これにより、ヘッド１２Ｃ，１２Ｍ，１２Ｙ，１２Ｋが用紙搬送方向と直交する主走査方向に往復動作するシリアル（シャトル）型ヘッドに比べて高速印字が可能であり、プリント生産性を向上させることができる。
【０１３２】
本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクヘッドを追加する構成も可能であり、各色ヘッドの配置順序も特に限定はない。
【０１３３】
〔ヘッドの構造〕
次に、ヘッド１２Ｃ，１２Ｍ，１２Ｙ，１２Ｋの構造について詳説する。ヘッド１２Ｃ，１２Ｍ，１２Ｙ，１２Ｋの構造は共通しているので、以下、これらを代表して符号５０によってヘッドを示す。なお、浸透抑制剤付与部１８に含まれるインクジェットヘッド（浸透抑制剤ヘッド）及び処理液付与部２２に含まれるインクジェットヘッド（処理液ヘッド）にもヘッド５０と同様の構成を適用することができるので、本例のインクジェット記録装置１０に含まれるインクジェットヘッドについて、ヘッド１２Ｃ，１２Ｍ，１２Ｙ，１２Ｋを用いて説明する。
【０１３４】
図４(a)はヘッド５０の構造例を示す平面透視図であり、図４(b)はその一部の拡大図である。また、図４(c)はヘッド５０の他の構造例を示す平面透視図、図５はインク室ユニットの立体的構成を示す断面図（図４(a),(b)中の５−５線に沿う断面図）である。
【０１３５】
用紙１６上に形成されるドットピッチを高密度化するためには、ヘッド５０におけるノズルピッチを高密度化する必要がある。本例のヘッド５０は、図４(a),(b)に示すように、インク滴の吐出孔であるノズル５１と、各ノズル５１に対応する圧力室５２等からなる複数のインク室ユニット５３を千鳥でマトリクス状に（２次元的に）配置させた構造を有し、これにより、ヘッド長手方向（副走査方向）に沿って並ぶように投影される実質的なノズル間隔（投影ノズルピッチ）の高密度化を達成している。
【０１３６】
主走査方向に用紙１６の全幅に対応する長さにわたり１列以上のノズル列を構成する形態は本例に限定されない。例えば、図４(a)の構成に代えて、図４(c)に示すように、複数のノズル５１が２次元に配列された短尺のヘッドモジュール５０’を千鳥状に配列して繋ぎ合わせることで用紙１６の全幅に対応する長さのノズル列を有するラインヘッドを構成してもよい。また、図示は省略するが、短尺のヘッドモジュールを一列に並べてラインヘッドを構成してもよい。
【０１３７】
各ノズル５１に対応して設けられている圧力室５２は、その平面形状が概略正方形となっており、対角線上の両隅部にノズル５１と供給口５４が設けられている。図５に示すように、各圧力室５２は供給口５４を介して共通流路５５と連通されている。共通流路５５はインク供給源たるインク供給タンク（図５中不図示、図７に符号６０で図示）と連通しており、該インク供給タンクから供給されるインクは図５の共通流路５５を介して各圧力室５２に分配供給される。
【０１３８】
圧力室５２の天面を構成し共通電極と兼用される振動板５６には個別電極５７を備えた圧電素子５８が接合されており、個別電極５７に駆動電圧を印加することによって圧電素子５８が変形してノズル５１からインクが吐出される。インクが吐出されると、共通流路５５から供給口５４を通って新しいインクが圧力室５２に供給される。
【０１３９】
かかる構造を有するインク室ユニット５３を図６に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【０１４０】
即ち、主走査方向に対してある角度θの方向に沿ってインク室ユニット５３を一定のピッチｄで複数配列する構造により、主走査方向に並ぶように投影されたノズルのピッチＰはｄ×cosθとなり、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【０１４１】
なお、印字可能幅の全幅に対応した長さのノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙１６の幅方向（用紙１６の搬送方向と直交する方向）に１ライン（１列のドットによるラインまたは複数列のドットから成るライン）を印字するようなノズルの駆動を主走査と定義する。
【０１４２】
特に、図４(a),(b)に示すようなマトリクス状に配置されたノズル５１を駆動する場合は、上記（３）のような主走査が好ましい。即ち、ノズル５１-11、５１-12、５１-13、５１-14、５１-15、５１-16を１つのブロックとし（他にはノズル５１-21、…、５１-26を１つのブロック、ノズル５１-31、…、５１-36を１つのブロック、…として）、用紙１６の搬送速度に応じてノズル５１-11、５１-12、…、５１-16を順次駆動することで用紙１６の幅方向に１ラインを印字する。
【０１４３】
一方、上述したフルラインヘッドと用紙１６とを相対移動することによって、上述した主走査で形成された１ライン（１列のドットによるラインまたは複数列のドットから成るライン）の印字を繰り返し行うことを副走査と定義する。
【０１４４】
そして、上述の主走査によって記録される１ライン（或いは帯状領域の長手方向）の示す方向を主走査方向といい、上述の副走査を行う方向を副走査方向という。即ち、本実施形態では、用紙１６の搬送方向が副走査方向であり、それに直交する用紙１６の幅方向が主走査方向ということになる。なお、本発明の実施に際してノズルの配置構造は図示の例に限定されない。
【０１４５】
また、本実施形態では、ピエゾ素子（圧電素子）に代表される圧電素子５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【０１４６】
本発明の適用範囲はライン型ヘッドによる印字方式に限定されず、用紙１６の幅方向の長さに満たない短尺のヘッドを用紙１６の幅方向に走査させて当該幅方向の印字を行い、１回の幅方向の印字が終わると用紙１６を幅方向と直交する方向に所定量だけ移動させて、次の印字領域の用紙１６の幅方向の印字を行い、この動作を繰り返して用紙１６の印字領域の全面にわたって印字を行うシリアル方式を適用してもよい。
【０１４７】
〔供給系の構成〕
図７はインクジェット記録装置１０におけるインク供給系の構成を示した概要図である。インク供給タンク６０はヘッド５０にインクを供給する基タンクであり、先に説明したインク貯蔵／装填部に含まれる。インク供給タンク６０の形態には、インク残量が少なくなった場合に不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。
【０１４８】
図７に示すように、インク供給タンク６０とヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。
【０１４９】
なお、図７には示さないが、ヘッド５０の近傍又はヘッド５０と一体にサブタンクを設ける構成も好ましい。サブタンクは、ヘッドの内圧変動を防止するダンパー効果及びリフィルを改善する機能を有する。
【０１５０】
また、インクジェット記録装置１０には、ノズル５１の乾燥防止又はノズル近傍のインク粘度上昇を防止するための手段としてのキャップ６４と、ヘッド５０のインク吐出面の清掃手段としてクリーニングブレード６６が設けられている。
【０１５１】
これらキャップ６４及びクリーニングブレード６６を含むメンテナンスユニット（メンテナンス手段）は、不図示の移動機構によってヘッド５０に対して相対移動可能であり、必要に応じて所定の退避位置からヘッド５０下方のメンテナンス位置に移動される。
【０１５２】
キャップ６４は、図示せぬ昇降機構によってヘッド５０に対して相対的に昇降変位される。電源ＯＦＦ時や印刷待機時にキャップ６４を所定の上昇位置まで上昇させ、ヘッド５０に密着させることにより、ノズル面をキャップ６４で覆う。
【０１５３】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、圧電素子５８が動作してもノズル５１からインクを吐出できなくなってしまう。
【０１５４】
このような状態になる前に（圧電素子５８の動作により吐出が可能な粘度の範囲内で）圧電素子５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【０１５５】
また、ヘッド５０内のインク（圧力室５２内）に気泡が混入した場合、圧電素子５８が動作してもノズルからインクを吐出させることができなくなる。このような場合にはヘッド５０にキャップ６４を当て、吸引ポンプ６７で圧力室５２内のインク（気泡が混入したインク）を吸引により除去し、吸引除去したインクを回収タンク６８へ送液する。
【０１５６】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【０１５７】
クリーニングブレード６６はゴムなどの弾性部材で構成されており、図示せぬブレード移動機構によりヘッド５０のインク吐出面に摺動可能である。インク吐出面にインク液滴または異物が付着した場合、クリーニングブレード６６をインク吐出面に摺動させることでインク吐出面を拭き取り、インク吐出面を清掃する。
【０１５８】
〔制御系の説明〕
図８は、インクジェット記録装置１０のシステム構成を示す要部ブロック図である。インクジェット記録装置１０は、通信インターフェース７０、システム制御部７２、画像メモリ７４、モータドライバ７６、ヒータドライバ７８、定着加圧制御部７９、プリント制御部８０、画像バッファメモリ（不図示）、ヘッドドライバ８４、浸透抑制剤付与制御部９０、処理液付与制御部９２、演算部９４等を備えている。
【０１５９】
通信インターフェース７０は、ホストコンピュータ８６から送られてくる画像データを受信するインターフェース部である。通信インターフェース７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦画像メモリ７４に記憶される。
【０１６０】
画像メモリ７４は、通信インターフェース７０を介して入力された画像やセンサ３０によって読み取られた画像の読取データ、演算部９４による演算後のデータ（画像処理後の画像）等を一旦格納する記憶手段であり、システム制御部７２を通じてデータの読み書きが行われる。画像メモリ７４は、半導体素子からなるメモリに限らず、ハードディスクなど磁気媒体を用いてもよい。
【０１６１】
システム制御部７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能する。即ち、システム制御部７２は、通信インターフェース７０、画像メモリ７４、モータドライバ７６、ヒータドライバ７８等の各部を制御し、ホストコンピュータ８６との間の通信制御、画像メモリ７４の読み書き制御等を行うとともに、搬送系のモータ８８やヒータ８９を制御する制御信号を生成する。
【０１６２】
画像メモリ７４には、システム制御部７２のＣＰＵが実行するプログラム及び制御に必要な各種データなどが格納されている。なお、画像メモリ７４は、書換不能な記憶手段であってもよいし、ＥＥＰＲＯＭのような書換可能な記憶手段であってもよい。画像メモリ７４は、画像データの一時記憶領域として利用されるとともに、プログラムの展開領域及びＣＰＵの演算作業領域としても利用される。また、システム制御部７２等を構成するプロセッサ類に内蔵されるメモリを画像メモリ７４として用いてもよい。
【０１６３】
モータドライバ７６は、システム制御部７２からの指示にしたがってモータ８８を駆動するドライバである。図８には、装置内の各部に配置されるモータ（アクチュエータ）を代表して符号８８で図示されている。例えば、図８に示すモータ８８には、図１の用紙搬送部１４の駆動源として機能するモータや、各部の移動機構のモータ、図７のクリーニングブレード６６を移動させる機構のモータなどが含まれる。
【０１６４】
ヒータドライバ７８は、システム制御部７２からの指示にしたがって、ヒータ８９を駆動するドライバである。図８には、インクジェット記録装置１０に備えられる複数のヒータを代表して符号８９で図示されている。例えば、図８に示すヒータ８９には、図１の浸透抑制剤乾燥部２０のヒータや、処理液乾燥部２４のヒータ、インク乾燥部２６のヒータなどが含まれている。
【０１６５】
プリント制御部８０は、システム制御部７２の制御に従い、画像メモリ７４内の画像データから印字制御用の信号を生成するための各種加工、補正などの処理を行う信号処理機能を有し、生成した印字データ（ドットデータ）をヘッドドライバ８４及び浸透抑制剤付与制御部９０、処理液付与制御部９２に供給する制御部である。プリント制御部８０において所要の信号処理が施され、該画像データに基づいて、ヘッドドライバ８４を介してヘッド５０のインク液滴の吐出量や吐出タイミングの制御が行われる。これにより、所望のドットサイズやドット配置が実現される。また、当該画像データに基づいて浸透抑制剤付与制御部９０を介して浸透抑制剤付与部１８の浸透抑制剤付与量や付与タイミングが制御されるとともに、処理液付与制御部９２を介して処理液付与部２２の処理液付与量や付与タイミングが制御される。
【０１６６】
プリント制御部８０には不図示の画像バッファメモリが備えられており、プリント制御部８０における画像データ処理時に画像データやパラメータなどのデータが画像バッファメモリに一時的に格納される。また、プリント制御部８０とシステム制御部７２とを統合して１つのプロセッサで構成する態様も可能である。
【０１６７】
ヘッドドライバ８４は、プリント制御部８０から与えられる画像データに基づいてヘッド１２Ｃ，１２Ｍ，１２Ｙ，１２Ｋの圧電素子５８に印加される駆動信号を生成するとともに、該駆動信号を圧電素子５８に印加して圧電素子５８を駆動する駆動回路を含んで構成される。なお、図８に示すヘッドドライバ８４には、ヘッド５０の駆動条件を一定に保つためのフィードバック制御系を含んでいてもよい。
【０１６８】
印刷すべき画像のデータは、通信インターフェース７０を介して外部から入力され、画像メモリ７４に蓄えられる。この段階では、ＲＧＢの画像データが画像メモリ７４に記憶される。
【０１６９】
画像メモリ７４に蓄えられた画像データは、システム制御部７２を介してプリント制御部８０に送られ、該プリント制御部８０においてインク色ごとのドットデータに変換される。即ち、プリント制御部８０は、入力されたＲＧＢのラスターデータをＫＣＭＹの４色のドットデータに変換するＲＩＰ処理を行う。プリント制御部８０で生成されたドットデータは、不図示の画像バッファメモリに蓄えられる。なお、浸透抑制剤のドットデータや処理液のドットデータも同様に生成される。
【０１７０】
演算部９４は、センサ３０から得られた検出信号に所定の信号処理を施す機能を有するブロックである。例えば、センサ３０の読取信号からドットの欠陥（形状の異常、位置の異常）の情報を生成し、当該吐出異常情報をプリント制御部８０に提供する。プリント制御部８０では、当該吐出異常情報に基づいて画像データ（ドットデータ）の補正が行われる。
【０１７１】
不図示のプログラム格納部には各種制御プログラムが格納されており、システム制御部７２の指令に応じて、制御プログラムが読み出され、実行される。プログラム格納部はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。なお、プログラム格納部は動作パラメータ等の記憶手段（不図示）と兼用してもよい。
【０１７２】
〔浸透抑制剤及び処理液の付与方法の説明〕
次に、浸透抑制剤及び処理液の付与方法について詳述する。前述のように、浸透抑制剤および処理液はローラ塗布等のような全面塗布でもよいが、本例ではインクジェット方式を適用することで、インクに対してドットオンドットで処理液を打滴することができ、更に、処理液に対してドットオンドットで浸透抑制剤を打滴することができるので、非画像部（インクのドットが配置されない部分）の質感を変えることなく維持することができ、また、処理液及び浸透抑制剤の消費量の低減化にも寄与する。
【０１７３】
更に、以下に示す打滴方法では、処理液及び浸透抑制剤を色材入りインクの打滴箇所及びその周辺のみに選択的に付与する方式を適用している。図９(a)〜(c)には、インク及び処理液、浸透抑制剤の付与例を模式的に図示する。
【０１７４】
図９(a)に示すドット配置１００には、インクによるドット１０２の配置を表している。インクドットはＣＭＹＫ各色の論理和であり、ＣＭＹＫ各色のうち１色でもドットが存在する場合にはドットが配置されるとしている。また、図９(b)に示すドット配置１１０は処理液によるドット１１２の配置を表し、図９(c)に示すドット配置１２０は浸透抑制剤によるドット１２２の配置を表している。
【０１７５】
図９(a)〜(c)には、浸透抑制剤、処理液、インクの順に付与面積を小さくする態様を図示している。言い換えると、図９(a)に示すインク打滴領域（インクドット１０２が形成される領域）とその周辺に処理液を打滴し（図９(b)に示す処理液ドット１１２を形成し）、処理液打滴領域（処理液ドット１１２が形成される領域）とその周辺に浸透抑制剤を打滴する（浸透抑制剤ドット１２２を形成する）という構成が好ましい。
【０１７６】
インク打滴領域の周辺に処理液を打滴する方法、処理液打滴領域の周辺に浸透抑制剤を打滴する方法として、図９(a)〜(c)にはインク打滴部（インクの打滴点、インクドット１０２が形成されている部分）とその上下左右に処理液を打滴し、さらに処理液打滴部（処理液の打滴点、処理液ドット１１２が形成されている部分）の上下左右に浸透抑制剤を打滴する例を示した。なお、上下左右に加え、右斜め上、左斜め上、右斜め下、左斜め下を加えてもよい。「打滴点」とは、画像上（用紙上）においてドットを形成し得る位置である。
【０１７７】
即ち、図９(a)〜(c)に態様では、インクによるドット、処理液によるドット、浸透抑制剤によるドットの大きさを変えずに、インクの打滴点に隣接する打滴点を含む周囲の打滴点に処理液を打滴するように処理液の打滴点をインクの打滴点よりも増やすとともに、処理液の打滴点に隣接する打滴点を含む周囲の打滴点に浸透抑制剤を打滴するように、浸透抑制剤の打滴点を処理液の打滴点よりも増やして、インク、処理液、浸透抑制剤の打滴点を決める方法が挙げられる。
【０１７８】
言い換えると、図９(a)〜(c)に示す態様では、インクドット１０２の周囲を囲むように処理液ドット１１２が形成されるとともに、処理液ドット１１２の周囲を囲むように浸透抑制剤ドット１２２が形成される。なお、図９(a)〜(c)にはインク打滴領域の外側に１ドット分の処理液打滴領域を設け、更に、処理液打滴領域の外側に１ドット分の浸透抑制剤打滴領域を設ける態様を例示したが、インク打滴領域の外側に２ドット分以上の処理液打滴領域を設けてもよいし、処理液打滴領域の外側に２ドット分以上の浸透抑制剤打滴領域を設けてもよく、記録画像（記録画像のインクドット密度）に応じて適宜決めるとよい。
【０１７９】
図９(a)〜(c)に示す態様によれば、処理液の打滴領域を囲むように処理液に先立って浸透抑制剤を打滴するので、浸透抑制剤が存在しない領域に処理液が着弾することがなく、確実に用紙１６のカールが防止される。また、インクの打滴領域を囲むようにインクに先立って処理液を打滴するので、処理液が存在しない領域にインクが着弾することがなく、確実にインクと処理液を反応させることができる。
【０１８０】
図１０(a)〜(c)には、インク、処理液、浸透抑制剤の順に打滴量を増やした場合のドット配置の例を示している。即ち、図１０(a)〜(c)には処理液及び浸透抑制剤のドット数を変更せずに、処理液ドット１３２、浸透抑制剤ドット１４２の大きさを変更する態様を示す。図１０(a)に示すドット配置１００は、図９(a)に示すインクドット１０２のドット配置と同一であり説明は省略する。
【０１８１】
図１０(b)に示すドット配置１３０は処理液ドット１３２の配置を表し、処理液ドット１３２は、図１０(a)に示すインクドット１０２と同一打滴点に形成されるとともに、インクドット１０２よりも大きいサイズを有している。また、図１０(c)に示すドット配置１４０は、浸透抑制剤ドット１４２のドット配置を表し、浸透抑制剤ドット１４２はインクドット１０２及び処理液ドット１３２と同一打滴点に形成されるとともに、処理液ドット１３２によりも大きいサイズを有している。
【０１８２】
なお、処理液ドット１３２のサイズをインクドット１０２のサイズよりも大きくするには、処理液の打滴量をインクの打滴量よりも多くする代わりに、処理液に含有する界面活性剤の含有量を調整して処理液をインクよりも濡れ広がるよう調整してもよい。更に、打滴量の調整と界面活性剤の含有量の調整を組み合わせてもよい。また、浸透抑制剤ドット１４２のサイズを処理液ドット１３２のサイズよりも大きくする方法にも同様の方法を適用することができる。
【０１８３】
インクドット１０２の面積に対する処理液ドット１３２の面積は、１．２倍以上３．０倍以下が好ましく、より好ましくは１．５倍以上２．０倍以下である。また、処理液ドット１３２の面積に対する浸透抑制剤ドット１４２の面積は、１．２倍以上４．０倍以下が好ましく、より好ましくは１．５倍以上２．０倍以下である。
【０１８４】
図１０(a)〜(c)に示す態様によれば、インクのドット配置を浸透抑制剤のドット配置（処理液のドット配置）に利用でき、制御系の演算負荷の低減化に寄与する。
【０１８５】
図１１(a)〜(c)には、浸透抑制剤、処理液、インクの順に打滴密度を上げるという態様を図示する。図１１(a)に示すドット配置１００は、インクドット１０２のドット配置を表し、図９(a)及び図１０(a)に図示したドット配置１００と同一である。図１１(b)に示すドット配置１５０は処理液ドット１５２のドット配置であり、図１１(a)に示すインクドット１０２のドット配置１００に対してドット密度が主走査方向及び副走査方向ともに１／２になっており、処理液ドット１５２の範囲内にインクドット１０２が１つでも存在する場合には、対応する処理液ドットが打滴される。
【０１８６】
図１１(c)に示すドット配置１６０は浸透抑制剤ドット１６２によるドット配置を表し、図１１(b)に示す処理液ドット１５２のドット配置１５０に対して主走査方向及び副走査方向ともにドット密度が１／２になっており、浸透抑制剤ドット１６２の範囲内に処理液ドット１５２が存在する場合には、対応する浸透抑制剤ドット１６２が打滴される。例えば、インクドット１０２のドット密度が１２００ｄｐｉの場合には、処理液ドット１５２のドット密度を６００ｄｐｉとし、浸透抑制剤ドット１６２のドット密度を３００ｄｐｉとする。
【０１８７】
言い換えると、図１１(a)〜(c)に示す態様では、インクに対して処理液の打滴密度を粗くするとともに、処理液に対して浸透抑制剤の打滴密度を更に粗くして、図１１(a)に示すインクドット１０２の周囲に図１１(b)に示す処理液ドット１５２を形成し、更に、処理液ドット１５２に対して図１１(c)に示す浸透抑制剤ドット１６２を形成している。
【０１８８】
図１１(a)〜(c)に示す態様によれば、インク打滴用のヘッド１２Ｃ，１２Ｍ，１２Ｙ，１２Ｋに対して、処理液付与部２２（処理液打滴用ヘッド）および浸透抑制剤付与部１８（浸透抑制剤打滴用ヘッド）のノズル密度を小さくすることができる（即ち、図６におけるノズルピッチＰを大きくすることができる）ので、ヘッドの製造コストを下げることができる。また、インク打滴用のヘッド１２Ｃ，１２Ｍ，１２Ｙ，１２Ｋに対して、処理液付与部２２（処理液打滴用ヘッド）及び浸透抑制剤付与部１８（浸透抑制剤打滴用ヘッド）の吐出周波数を下げることができるので、処理液付与部２２（処理液打滴用ヘッド）及び浸透抑制剤付与部１８（浸透抑制剤打滴用ヘッド）の制御部位の負荷を低減することができる。
【０１８９】
図１２(a)〜(c)には、インク打滴部の前２ドット分に浸透抑制剤及び処理液を打滴する画像パターンを図示する。図１２(a)に示すドット配置１００は、図９(a)等に示したインクドット１０２のドット配置である。図１２(a)における符号Ｂで示す矢印線は、打滴方向（用紙１６の搬送方向と反対方向）を示し、図１２(a)の上側から下側に向かって順にインクドット１０２が打滴される。なお、図１２(a)〜(c)の各打滴点に対して、同図中当該打滴点の上側に位置する打滴点を「下流側の打滴点」と呼ぶこととする。即ち、下流側の打滴点の方が先に打滴されることとなる。
【０１９０】
図１２(b)に示すドット配置１７０は処理液ドット１７２のドット配置であり、図１２(a)に示すインクドット１０２の前側（先の打滴順側）の１ドット分には、図１２(b)に示す処理液ドット１７２が打滴されている。また、図１２(c)に示すドット配置１８０は浸透抑制剤ドット１８２のドット配置であり、図１２(b)に示す処理液ドット１７２の前側の１ドット分には、図１２(c)に示すように浸透抑制剤ドット１８２が打滴されている。
【０１９１】
言い換えると、図１２(a)〜(c)に示すドット配置では、インクドットの打滴点の１つ前の（１つ下流側の）打滴点とインクドットの打滴点には処理液ドットが打滴されるとともに、処理液ドットの打滴点の1つ前（１つ下流側の）の打滴点と処理液ドットの打滴点には浸透抑制剤ドットが打滴される。なお、浸透抑制剤及び処理液は略透明であるため、それらがインクドットの打滴点に対して下流側の打滴点に打滴されても、ほとんど視認されないため、このような制御を行うことによる画像の劣化はほとんど起こらない。
【０１９２】
以上まとめると、図１２(a)〜(c)に示す態様によれば、浸透抑制剤及び処理液の吐出不良、特に、始動時やインターバル後の最初の（１発目の）吐出における吐出不良を防止することができる。
【０１９３】
〔浸透抑制剤塗布制御の説明〕
次に、本例の画像記録における浸透抑制剤の付与（処理液の付与）について詳述する。
【０１９４】
＜第１制御例＞
図１３は、第１制御例に係る浸透抑制剤付与の制御を示すフローチャートである。
【０１９５】
画像記録中に当該浸透抑制剤付与処理が開始されると、先ず、画像記録に用いられる紙情報（用紙の種類）を取得する（ステップＳ１０）。紙情報は、給紙トレイに取り付けられたＩＣタグ（情報記録媒体）から自動的に取得してもよいし、オペレータによって入力してもよい。また、テストプリントを印刷し、実際に作業者がカールの状態を判断してもよい。
【０１９６】
一方、画像記録において、画像データに基づきインクのドットデータ及び処理液のドットデータが生成され（ステップＳ１００）、単位面積ごとのインクの打滴量及び処理液の打滴量が算出される（ステップＳ１０２）。浸透抑制剤を打滴する場合には、ステップＳ１０２において画像領域（インクが付与される領域）を複数の領域に分割し、領域ごとにインク及び処理液の打滴量が算出される。画像領域の分割方法として、各領域が等しい面積となるように分割する方法が挙げられる。
【０１９７】
各画像領域の１辺の長さは、１００ｍｍ以下が好ましく、５０ｍｍ以下がさらに好ましい。また、浸透抑制剤をローラ等で塗布する場合には、画像領域を複数の領域に分割することはせず、画像領域全体に対して処理液及びインクの打滴量を算出する。言い換えると、浸透抑制剤をローラ等で塗布する場合には、画像領域全体を「単位面積」として扱う。
【０１９８】
ステップＳ１０において紙情報が取得されると、当該用紙はカールが発生する紙であるか否かが判断される（ステップＳ１２）。「カールが発生しない紙」とは、ＯＨＰシートやプラスチック基材等のセルロースのない媒体、インクジェット専用紙等のセルロースの上に既に浸透遮断層が形成されている紙が挙げられる。ステップＳ１２において使用される用紙はカールが発生しない紙であると判断されると（ＹＥＳ判定）、浸透抑制剤を付与せずに画像記録が実行される（ステップＳ１６）。
【０１９９】
ステップＳ１２においてカールが発生する紙であると判断されると（ＮＯ判定）、当該用紙はカールが発生しやすい紙であるか否かが判断される（ステップＳ１８）。「カールが発生しにくい紙」とは、段ボール、厚紙等の厚みが厚い紙、アート紙、コート紙等の溶媒の浸透が遅い紙（難浸透性媒体）が挙げられる。また、「カールが発生しにくい紙」とは、上質紙、微塗工紙等の溶媒の浸透が速い紙（浸透性媒体）が挙げられる。
【０２００】
ステップＳ１８においてカールが発生しやすい紙であると判断されると（ステップＳ２０）、ステップＳ１０２で求められた打滴量と予め設定されたしきい値（しきい値１）が比較される（ステップＳ２２）。ステップＳ２２において、打滴量が所定のしきい値１よりも小さい場合（カールが発生しない程度の打滴量の場合）には（ＮＯ判定）、ステップＳ１６に進み、浸透抑制剤を付与せずに画像記録が行われる。一方、ステップＳ２２において、打滴量がしきい値１よりも大きい場合（カールが発生する可能性がある打滴量の場合）には、通常の量の浸透抑制剤が付与され（ステップＳ２４）、画像記録が行われる。
【０２０１】
また、ステップＳ１８においてカールしにくい紙であると判断されると（ＮＯ判定）、ステップＳ１０２で求められた打滴量と予め設定されたしきい値（しきい値２）が比較される（ステップＳ２８）。ステップＳ２８において、打滴量がしきい値２よりも小さい場合（カールが発生しない程度の打滴量の場合）には（ＮＯ判定）、ステップＳ１６に進み、浸透抑制剤を付与せずに画像記録が行われる。一方、ステップＳ２８において打滴量がしきい値２よりも大きい場合（カールが発生する可能性がある打滴量の場合）には、浸透抑制剤が少量付与され（ステップＳ３０）、画像記録が行われる。
【０２０２】
即ち、本例に示す浸透抑制剤の付与制御では、インク及び処理液の打滴量を算出した領域ごとに打滴としきい値１，２が比較され、領域ごとに浸透抑制剤の付与の有無が判断され、領域ごとに浸透抑制剤の付与が制御される。
【０２０３】
ステップＳ２４における「通常量」とは、処理液の打滴量に対して処理液が浸透しない効果を発揮するために決められたドットサイズ及びドット数に応じて浸透抑制剤を付与することを意味し、ステップＳ３０における「浸透抑制剤の少量付与」とは、前記「通常量」のドットサイズ及びドット数に対して、ドットを間引いたり液滴量を小さくしたりすることを意味する。
【０２０４】
なお、本例で示した「カールが発生しない紙」、「カールが発生しにくい紙」、「カールが発生しやすい紙」といった分類は便宜的なものであって、紙（媒体）の種類ごとに浸透抑制剤を付与するものであるか、浸透抑制剤を付与するものについては少量付与とするか、通常付与とするかを予め実験等によって求めデータベース化して記憶しておき、紙情報の取得時に当該データベースを参照して浸透抑制剤の付与について判断することが好ましい。
【０２０５】
このように構成された第１制御例における浸透抑制剤付与制御によれば、使用される用紙の種類に応じて、カールしない紙を用いる場合には浸透抑制剤を付与せずに画像記録を行い、カールしにくい紙を用いる場合には浸透抑制剤を通常量よりも少量付与し、更に、カールしやすい紙を用いる場合に浸透抑制剤を通常量付与するように構成されるので、紙（記録媒体）の種類に応じた好ましい浸透抑制剤の付与が行われる。
【０２０６】
また、画像領域を複数に分割し、分割領域ごとに浸透抑制剤の付与を制御するので、画像の内容に応じたより好ましい浸透抑制剤の付与が行われる。
【０２０７】
＜第２制御例＞
次に、浸透抑制剤付与制御の第２制御例について説明する。以下に説明する第２制御例では、インクの打滴不良（不吐出、打滴位置や打滴量のずれ）によって浸透抑制剤の吐出の有無を変更するように制御が行われる。
【０２０８】
図２等に示すフルライン型ヘッドを用いたシングルパス方式の画像記録では、インクの打滴不良が起こると、その箇所（吐出不良ノズルに対応する画像上の位置）がスジムラとなって視認される。本例では、このようなスジムラを解消する方法として、予めテストパターン等によってスジムラが発生する箇所（吐出不良ノズル）を認識し、その箇所（吐出不良ノズルと認識されたノズルに対応する画像上の位置）にのみ（または、その箇所と周辺箇所に）浸透抑制剤を付与しないことにより、その箇所のインクがにじみ、スジムラの視認性を下げることができる。浸透抑制剤とともに処理液も付与しないという態様にしてもよい。
【０２０９】
図１４(a)〜(c)には、第２制御例におけるドット配置を示す。図１４(a)〜(c)において中央のノズル５１Ａが不吐出になっているとすると、中央のノズル（不吐出ノズル）５１Ａに対応する打滴点（図１４(a)に破線で図示したドットの打滴点）及びその左右に隣接する打滴点（図１４(b)中破線で図示したドットの打滴点）へは浸透抑制剤、処理液を吐出しないように、浸透抑制剤及び処理液の打滴が制御される。
【０２１０】
これにより、インクドットがにじみ（図１４(c)には、符号１０２’で滲んで所定のサイズよりも大きくなったドットを図示）、スジムラの視認性を下げることができる。
【０２１１】
なお、吐出異常の検出には以下に説明する方法が用いられる。
【０２１２】
先ず、テストパターンの印字を行い、図１に示すセンサ３０を用いて当該テストパターンを読み取り、ドット情報の取り込みを行う。取り込んだドット情報に基づいて各々のドットの濃度及び中心座標を算出する。当該テストパターンでは、すべてのノズルから同じ量のインク液滴を吐出させて、すべてのノズルに対応するドットが形成される。
【０２１３】
なお、図４(a)に示すようにノズル５１がマトリクス配置されている場合には、各々のドットが重ならないように離れた位置に打滴し、例えば、階段状のテストパターンを形成する。
【０２１４】
このようにして求められた各ノズルにおけるドットの中心座標（ドットの位置）及びドットの濃度と理論上のドットの中心座標及びドットの濃度を比較して、各ノズルについて吐出異常（不吐出、ドット位置の異常、ドットの濃度の異常）の有無が判断される。なお、吐出異常の検出方法は、上述した方法以外の方法を用いることも可能である。
【０２１５】
上述した第２制御例に係る浸透抑制剤付与制御によれば、インクの吐出異常を検出するとともに吐出異常が発生しているノズルを特定し、少なくとも吐出異常ノズルに対応する打滴点の用紙搬送方向と直交する方向の隣接打滴点には浸透抑制剤及び処理液を付与しないように浸透抑制剤の付与及び処理液の付与が制御されるので、吐出異常ノズルに隣接するノズルから吐出されたインクが用紙上でにじみ、当該インクによりドットが所定のサイズよりも大きくなることで、吐出異常ノズルに起因するスジムラの視認性を低減することができる。
【０２１６】
〔他の装置構成例〕
次に、本発明に適用可能な他の装置構成例について説明する。
【０２１７】
図１５は、他の装置構成例に係るインクジェット記録装置２００の概略構成図である。同図に示すインクジェット記録装置２００は、図２に示すインクジェット記録装置１０の用紙搬送部１４に代わり、ドラム形状の搬送部材の周面に用紙１６を固定して用紙１６を搬送するドラム搬送方式が適用される。
【０２１８】
図１５に示すように、インクジェット記録装置２００は、用紙（記録媒体）２１４の片面のみに印刷可能な片面機であり、用紙２１４を供給する給紙部２０２と、用紙２１４に対して浸透抑制処理（浸透抑制層形成）を行う浸透抑制処理部（浸透抑制剤付与部）２０４と、用紙２１４に処理液を付与する処理液付与部２０６と、用紙２１４に色インクを付与して画像記録を行う印字部（画像記録部、インク打滴部）２０８と、用紙２１４に記録された画像に定着処理を施す定着処理部２１０と、画像が形成された用紙２１４を搬送して排出する排紙部２１２とから主に構成される。
【０２１９】
＜給紙＞
給紙部２０２には、用紙２１４を積載する給紙台２２０が設けられている。給紙台２２０の前方（図１５において左側）にはフィーダボード２２２が接続されており、給紙台２２０に積載された用紙２１４（カット状のシート）は１番上から順に１枚ずつフィーダボード２２２に送り出される。フィーダボード２２２に送り出された用紙２１４は、渡し胴２２４ａを介して、浸透抑制処理部２０４の圧胴２２６ａの表面（周面）に給紙される。
【０２２０】
なお、本例では用紙２１４としてマットコート紙（例えば、ユーライト（日本製紙社製商品名））を用いる場合について説明する。
【０２２１】
＜浸透抑制層形成＞
浸透抑制処理部２０４には、圧胴２２６ａの回転方向（図１５において反時計回り方向）に関して上流側から順に、圧胴２２６ａの表面に対向する位置に、用紙予熱ユニット２２８、浸透抑制剤ヘッド２３０、及び浸透抑制剤乾燥ユニット２３２がそれぞれ設けられている。
【０２２２】
用紙予熱ユニット２２８及び浸透抑制剤乾燥ユニット２３２には、それぞれ所定の範囲で温度制御可能なヒータが設けられる。圧胴２２６ａに保持された用紙２１４が、用紙予熱ユニット２２８や浸透抑制剤乾燥ユニット２３２に対向する位置を通過する際、これらユニットのヒータ（赤外線ヒータ）によって加熱される。
【０２２３】
浸透抑制剤ヘッド２３０は、圧胴２２６ａに保持される用紙２１４に対して浸透抑制剤を打滴するものであり、後述する印字部２０８の各インクヘッド２４０Ｃ、２４０Ｍ、２４０Ｙ、２４０Ｋ、２４０Ｒ、２４０Ｇ、２４０Ｂと同一構成が適用される。
【０２２４】
本例では、用紙２１４の表面に対して浸透抑制処理を行う手段として、インクジェットヘッドを適用したが、浸透抑制処理を行う手段については特に本例に限定されるものではない。例えば、スプレー方式、塗布方式などの各種方式を適用することも可能である。
【０２２５】
浸透抑制剤には、溶液中に樹脂をエマルジョンの形で分散、もしくは樹脂を溶解させた液体が適用される。浸透処理剤を用紙２１４に付与する際に、用紙２１４の表面の温度Ｔ１を樹脂の最低造膜温度Ｔｆ１より高くしておくと、浸透抑制剤に含まれる樹脂が用紙２１４に付着すると、即座に良好な樹脂膜（浸透抑制剤層）を形成し、その後、用紙２１４に付与されるインク中の溶媒の用紙２１４内部への浸透を良好に抑制する。Ｔ１とＴｆ１との差はおよそ１０〜２０℃が好ましい。
【０２２６】
本例の浸透抑制剤として、例えば、熱可塑性樹脂ラテックス溶液が好適に用いられる。もちろん、浸透抑制剤は、熱可塑性樹脂ラテックス溶液に限定されるものではなく、例えば、平板粒子（雲母等）や撥水剤（フッ素コーティング剤）などを適用することも可能である。また、浸透抑制剤の溶媒としては、有機溶剤又は水を用いる。有機溶剤としては、メチルエチルケトン、石油類、等が好適に用いられる。
【０２２７】
本例では、用紙２１４の温度調節に圧胴２２６ａの表面に対向するヒータを用いる態様を例示したが、圧胴２２６の内部にヒータ等の発熱体を設置する態様や、用紙２１４の上面から熱風（乾燥風）を当てる態様を適用してもよい。また、これらを組み合わせてもよい。
【０２２８】
＜凝集処理液付与＞
浸透抑制処理部２０４に続いて処理液付与部２０６が設けられている。浸透抑制処理部２０４の圧胴２２６ａと処理液付与部２０６の圧胴２２６ｂとの間には、これらに対接するようにして渡し胴２２４ｂが設けられている。これにより、浸透抑制処理部２０４の圧胴２２６ａに保持された用紙２１４は、浸透抑制処理が行われた後に、渡し胴２２４ｂを介して処理液付与部２０６の圧胴２２６ｂに受け渡される。
【０２２９】
即ち、ドラム状の圧胴２２６（２２６ａ〜２２６ｄ）上にて用紙２１４の先端部がグリッパー２１５で保持されて圧胴２２６の周面上を用紙２１４が（図１５における半時計周りに）回転する。所定の処理が施された用紙２１４の先端部は、渡し胴２２４（２２４ａ〜２２４ｄ）にて受け渡しが行われる。本例では、１個の圧胴２２６に２個のグリッパー２１５（２１５ａ，２１５ｂ）が設けられており、渡し胴２２４には１個のグリッパー２１６が設けられている。
【０２３０】
渡し胴２２４もドラム状となっており、用紙２１４の先端部を上流側の圧胴２２６から受け渡されて、グリッパー２１６にて用紙２１４の先端部を保持して（図１５における時計周りに）回転し、下流側の圧胴２２６に用紙２１４を受け渡す。
【０２３１】
処理液付与部２０６には、圧胴２２６ｂの回転方向（図１５において反時計回り方向）に関して上流側から順に、圧胴２２６ｂの表面に対向する位置に、用紙予熱ユニット２３４、処理液ヘッド２３６、及び処理液乾燥ユニット２３８がそれぞれ設けられている。
【０２３２】
処理液付与部２０６の各部（用紙予熱ユニット２３４、処理液ヘッド２３６、及び処理液乾燥ユニット２３８）については、上述した浸透抑制処理部２０４の用紙予熱ユニット２２８、浸透抑制剤ヘッド２３０、及び浸透抑制剤乾燥ユニット２３２とそれぞれ同様の構成が適用されるため、ここでは説明を省略する。もちろん、浸透抑制処理部２０４と異なる構成を適用することも可能である。
【０２３３】
本例で用いられる処理液（凝集処理剤）は、後段の印字部２０８に配置される各インクヘッド２４０Ｃ、２４０Ｍ、２４０Ｙ、２４０Ｋ、２４０Ｒ、２４０Ｇ、２４０Ｂから用紙２１４に向かって吐出されるインクに含有される色材を凝集させる作用を有する酸性液である。
【０２３４】
処理液付与部２０６に搬送された用紙２１４には、処理液ヘッド２３６により全面に対して処理液が５μｍの厚みで付与される。本例では、インクジョット方式を適用しているので、処理液を画像信号（画像データ）に応じて選択的に打滴する態様も可能である。かかる態様は、乾燥時間の短縮や加熱エネルギーの削減が可能となる。
【０２３５】
一方、処理液をインクジェット方式ではなく、ローラなどの塗設装置によって塗設する態様も可能ある。塗設方式では、インクジェット方式を用いた場合よりも処理液を薄層で塗設することができ、かかる態様においても乾燥時間の短縮や加熱エネルギーの削減が可能となる。
【０２３６】
処理液乾燥ユニット２３８のヒータの加熱温度は、圧胴２２６ｂの回転方向上流側に配置される処理液ヘッド２３６の吐出動作によって用紙２１４の表面に付与された処理液を乾燥させて、用紙２１４上に固体状又は半固溶状の凝集処理剤層（処理液が乾燥した薄膜層）が形成されるような温度（例えば、７０℃）に設定される。更に、印字部２０８への渡し胴２２４ｃにおいて追加乾燥処理（例えば、６０℃）を施してもよい。
【０２３７】
なお、ヒータによる加熱に代わり、又はこれと併用して乾燥風を用いて乾燥処理を行う態様も好ましい、例えば、７０℃の熱風にて１秒間乾燥させて、用紙２１４上に固体状又は半固溶状の凝集処理剤層を形成してもよい。
【０２３８】
ここでいう「固体状または半固溶状の凝集処理剤層」とは、以下に定義する含水率が０〜７０％の範囲のものを言うものとする。
【０２３９】
【数１】
2009226851.tif 000007
【０２４０】
即ち、「含水率」は、処理液の単位面積あたりの重量Ｘ１（ｇ／ｍ２）に対する凝集処理剤中に含まれる水の単位面積あたりの重量Ｘ２（ｇ／ｍ２）の比（即ち、Ｘ２／Ｘ１）と定義する。
【０２４１】
含水率の測定方法としては、１００ｍｍ×１００ｍｍの大きさの用紙を切り出し、処理液付与後の総重量（用紙＋乾燥前処理液）と乾燥後の総重量（用紙＋乾燥後の処理液）を測定し、重量の減少分を測定することで、残水分量を計算した。また、乾燥前の水分量は処理液の調整処方からの計算値を用いた。
【０２４２】
なお、液体状の処理液の上にインクを打滴すると、インクが処理液の液体層に着弾し、インクが凝集する際にインク（色材）が処理液中に浮遊（移動）してしまうことが判明した。このようなインク浮遊が発生すると、高画質化を追求する場合には画質が悪化してしまう。
【０２４３】
処理液に対するインクの色材浮遊（移動）を防止するためには、処理液を付与した後、かつ、インクを打滴する前に、処理液を乾燥蒸発させて処理液を固体状または半固溶状にすることが有効であることが判明した。処理液の好ましい固体状又は半固溶状を処理液中の含水率で評価した結果、上記の〔数１〕で求められる処理液の含水率が７０％以下になるように処理液を蒸発乾燥させると、インクの色材浮遊によるドット移動が目立たなくなる。
【０２４４】
更に、処理液の含水率が５０％以下になると、目視によるドット移動が確認できない程度に良好となり、インク浮遊による画像劣化の防止が可能である実験結果が得られた。下記〔表５〕に当該実験結果を示す。
【０２４５】
【表５】
2009226851.tif 000008
【０２４６】
本例の如く、用紙２１４上に処理液が付与される前に、用紙予熱ユニット２３４のヒータによって用紙２１４を予備加熱する態様が好ましい。この場合、処理液の乾燥に要する加熱エネルギーを低く抑えることが可能となり、省エネルギー化を図ることができる。
【０２４７】
＜画像記録（インク打滴、溶媒乾燥）＞
処理液付与部２０６に続いて印字部２０８が設けられている。処理液付与部２０６の圧胴２２６ｂと印字部２０８の圧胴２２６ｃとの間には、これらに対接するようにして渡し胴２２４ｃが設けられている。これにより、処理液付与部２０６の圧胴２２６ｂに保持された用紙２１４は、処理液が付与されて固体状又は半固溶状の凝集処理剤層が形成された後に、渡し胴２２４ｃを介して印字部２０８の圧胴２２６ｃに受け渡される。
【０２４８】
印字部２０８には、圧胴２２６ｃの回転方向（図１５において反時計回り方向）に関して上流側から順に、圧胴２２６ｃの表面に対向する位置に、ＣＭＹＫＲＧＢの７色のインクにそれぞれ対応したインクヘッド２４０Ｃ、２４０Ｍ、２４０Ｙ、２４０Ｋ、２４０Ｒ、２４０Ｇ、２４０Ｂと、溶媒乾燥ユニット２４２ａ、２４２ｂがそれぞれ設けられている。
【０２４９】
各インクヘッド２４０Ｃ、２４０Ｍ、２４０Ｙ、２４０Ｋ、２４０Ｒ、２４０Ｇ、２４０Ｂは、上述した浸透抑制剤ヘッド２３０や処理液ヘッド２３６と同様に、インクジェット方式の記録ヘッド（インクジェットヘッド）が適用される。即ち、各インクヘッド２４０Ｃ、２４０Ｍ、２４０Ｙ、２４０Ｋ、２４０Ｒ、２４０Ｇ、２４０Ｂは、それぞれ対応する色インクの液滴を圧胴２２６ｃに保持された用紙２１４に向かって吐出する。
【０２５０】
各インクヘッド２４０Ｃ、２４０Ｍ、２４０Ｙ、２４０Ｋ、２４０Ｒ、２４０Ｇ、２４０Ｂは、それぞれ圧胴２２６ｃに保持される用紙２１４における画像記録領域の最大幅に対応する長さを有し、そのインク吐出面には画像記録領域の全幅にわたってインク吐出用のノズル（図１５中不図示、図５参照）が複数配列されたフルライン型のヘッドとなっている。各インクヘッド２４０Ｃ、２４０Ｍ、２４０Ｙ、２４０Ｋ、２４０Ｒ、２４０Ｇ、２４０Ｂが圧胴２２６ｃの回転方向（用紙２１４の搬送方向）と直交する方向に延在するように固定設置される。
【０２５１】
用紙２１４の画像記録領域の全幅をカバーするノズル列を有するフルラインヘッドがインク色毎に設けられる構成によれば、用紙２１４の搬送方向（副走査方向）について、用紙２１４と各インクヘッド２４０Ｃ、２４０Ｍ、２４０Ｙ、２４０Ｋ、２４０Ｒ、２４０Ｇ、２４０Ｂを相対的に移動させる動作を１回行うだけで（即ち、１回の副走査で）、用紙２１４の画像記録領域に１次画像を記録することができる。これにより、用紙２１４の搬送方向（副走査方向）と直交する方向（主走査方向）に往復動作するシリアル（シャトル）型ヘッドが適用される場合に比べて高速印字が可能であり、プリント生産性を向上させることができる。
【０２５２】
また、本例では、ＣＭＹＫＲＧＢの７色の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクヘッドを追加する構成も可能であり、各色ヘッドの配置順序も特に限定はない。
【０２５３】
本例に示すインクジェット記録装置２００に適用される用紙２１４の最大サイズは菊半サイズであり、印字部２０８は、菊半サイズの幅７２０ｍｍに対応した直径８１０ｍｍのドラム（圧胴２２６ｃ）を有している。インク打滴時のドラム回転周速度は５３０ｍｍ/ｓｅｃであり、１回のインク吐出体積は２ｐｌ、記録密度は主走査方向、副走査方向ともに１２００ｄｐｉである。
【０２５４】
溶媒乾燥ユニット２４２ａ、２４２ｂは、上述した用紙予熱ユニット２２８、１３４や浸透抑制剤乾燥ユニット２３２、処理液乾燥ユニット２３８と同様に、所定の範囲で温度制御可能なヒータを含んで構成される。後述するように、用紙２１４上に形成された固体状又は半固溶状の凝集処理剤層上にインク液滴が打滴されると、用紙２１４上にはインク凝集体（色材凝集体）が形成されるとともに、色材と分離されたインク溶媒が広がり、凝集処理剤が溶解した液体層が形成される。このようにして用紙２１４上に残った溶媒成分（液体成分）は、用紙２１４のカールだけでなく、画像劣化を招く要因となる。そこで、本例では、各インクヘッド２４０Ｃ、２４０Ｍ、２４０Ｙ、２４０Ｋ、２４０Ｒ、２４０Ｇ、２４０Ｂからそれぞれ対応する色インクが用紙２１４上に打滴された後、溶媒乾燥ユニット２４２ａ、２４２ｂのヒータによって加熱を行い、溶媒成分を蒸発させ、乾燥を行っている。
【０２５５】
本例に示すインクジェット記録装置２００の溶媒乾燥処理は、２５℃の渡し胴２２４ｃに用紙２１４を保持し、７０℃の熱風にて２秒間乾燥処理を行い、次に、５０℃の圧胴２２６ｃに用紙２１４を保持し、７０℃の熱風にて１秒間乾燥処理を行い、更に、６０℃の圧胴２２６ｄに用紙２１４を保持し、７０℃の熱風にて２秒間乾燥処理を行うように構成されている。
【０２５６】
＜定着処理＞
印字部２０８に続いて定着処理部２１０が設けられている、印字部２０８の圧胴２２６ｃと定着処理部２１０の圧胴２２６ｄとの間には、これらに対接するように渡し胴２２４ｄが設けられている。これにより、印字部２０８の圧胴２２６ｃに保持された用紙２１４は、各色インクが付与された後に、渡し胴２２４ｄを介して定着処理部２１０の圧胴２２６ｄに受け渡される。
【０２５７】
定着処理部２１０には、圧胴２２６ｄの回転方向（図１５において反時計回り方向）に関して上流側から順に、圧胴２２６ｄの表面に対向する位置に、印字部２０８による印字結果を読み取る印字検出部２４４、加熱ローラ２４８ａ，２４８ｂがそれぞれ設けられている。
【０２５８】
印字検出部２４４は、印字部２０８の印字結果（各インクヘッド２４０Ｃ、２４０Ｍ、２４０Ｙ、２４０Ｋ、２４０Ｒ、２４０Ｇ、２４０Ｂの打滴結果）を撮像するためのイメージセンサ（ラインセンサ等）を含み、該イメージセンサによって読み取った打滴画像からノズルの目詰まりその他の吐出不良をチェックする手段として機能する。
【０２５９】
画像記録された用紙２１４は、６０℃の圧胴２２６ｄに保持され、１１０℃に設定された加熱ローラ２４８ａ，２４８ｂにより１ＭＰａのニップ圧で加熱定着処理が施される。本例では、浸透抑制剤又はインクにポリマー樹脂（微粒子）を含有させておき、そのポリマー樹脂の溶解温度に応じて加熱温度を設定して当該樹脂粒子を溶解させることで、当該樹脂微粒子の結合力が強化されるとともに、用紙２１４と樹脂微粒子の結合力が強化される。
【０２６０】
なお、加熱加圧処理に代わり、又はこれと併用して透明ＵＶインクを用いて用紙２１４に画像を定着させる態様も好ましい。即ち、画像記録済みの用紙２１４に透明ＵＶインクを付与する透明ＵＶインクヘッドと、透明ＵＶインクが付与された用紙２１４にＵＶ光を照射するＵＶランプと、を備え、用紙２１４に透明ＵＶインクが打滴された後、この用紙２１４が第１のＵＶランプ１４８に対向する位置を通過する際、用紙２１４上の透明ＵＶインクにＵＶ光（紫外光）を照射して、透明ＵＶインクを硬化させるように構成する態様も好ましい。
【０２６１】
透明ＵＶインクヘッドは、印字部２０８の各インクヘッド２４０Ｃ、２４０Ｍ、２４０Ｙ、２４０Ｋ、２４０Ｒ、２４０Ｇ、２４０Ｂと同一構成が適用され、各インクヘッド２４０Ｃ、２４０Ｍ、２４０Ｙ、２４０Ｋ、２４０Ｒ、２４０Ｇ、２４０Ｂによって用紙２１４上に打滴された色インクに重なるように透明ＵＶインクを打滴する。もちろん、印字部２０８の各インクヘッド２４０Ｃ、２４０Ｍ、２４０Ｙ、２４０Ｋ、２４０Ｒ、２４０Ｇ、２４０Ｂと異なる構成を適用することも可能である。
【０２６２】
かかる態様では、透明ＵＶインク打滴量制御部（不図示）によって、ＵＶ光照射後の透明ＵＶインクの層厚が５μｍ以下（好ましくは３μｍ以下、より好ましくは１〜３μｍ）となるように、透明ＵＶインクヘッドのノズルから吐出される液滴量（透明ＵＶインクの打滴量）を制御するとよい。なお「ＵＶ光照射後の透明ＵＶインクの層厚」とは、ＵＶランプによってＵＶ光が照射された後の透明ＵＶインクの層厚とする。即ち、複数のＵＶランプが設けられる場合は、記録媒体搬送方向に関して最下流側のＵＶランプによってＵＶ光照射が行われた後の透明ＵＶインクの層厚とする。
【０２６３】
＜排紙＞
定着処理部２１０に続いて排紙部２１２が設けられている。排紙部２１２には、定着処理が施された用紙２１４を受ける排紙胴２５０と、該用紙２１４を積載する排紙台２５２と、排紙胴２５０に設けられたスプロケットと排紙台２５２の上方に設けられたスプロケットとの間に掛け渡され、複数の排紙用グリッパーを備えた排紙用チェーン２５４とが設けられている。
【０２６４】
定着処理部２１０の圧胴２２６ｄから排紙胴２５０に受け渡された用紙２１４は排紙用チェーン２５４によって排紙台２５２に搬送される。
【０２６５】
図１５には、用紙２１４の片面に画像記録を行う片面機を図示したが、本発明は用紙２１４の両面に画像記録を行う両面機にも適用可能である。かかる両面機の構成としては、一方の面に画像が記録された用紙２１４の表裏を反転させる用紙反転機構と、表裏反転処理後の用紙２１４の他方の面に画像記録を行う構成（用紙２１４の一方の面に画像記録を行う構成と同一の構成を適用可能）と、備える態様が挙げられる。また、図１５に示す処理液付与部２０６を省略する構成も可能である。
【０２６６】
〔材料の説明〕
次に、本例に適用される浸透抑制剤、処理液（凝集処理剤）及びインクの材料について説明する。
【０２６７】
＜浸透抑制剤＞
以下に、本例に適用される浸透抑制剤に用いられる材料について説明する。本例に適用される浸透抑制剤は熱可塑性樹脂を含有している。
【０２６８】
本例の浸透抑制剤に用いられる熱可塑性樹脂のガラス転移温度Ｔｇは、−１０℃以上１００℃以下が好ましく、１０℃以上７０℃以下がさらに好ましく、３０℃以上５０℃以下が更に好ましい。
【０２６９】
熱可塑性樹脂のガラス転移温度Ｔｇが低いと、吐出の際にノズル面近傍で皮膜を形成しやすくなってしまい、浸透抑制剤の吐出の安定性が低下するという問題がある。一方、熱可塑性樹脂のガラス転移温度Ｔｇが高いと皮膜を形成する際に多大な熱をかける必要が発生するという問題がある。また、熱可塑性樹脂の形態は、樹脂が後述する溶媒に溶解若しくは粒子状態で分散されている形態があるが、浸透抑制剤を吐出する場合には粒子状態で分散させた方が溶液全体の粘度を下げることができ、好ましい。粒子の場合には粒子径は、０．０１μｍ異常５μｍ以下の範囲が好ましく、０．０５μｍ異常１μｍ以下の範囲がさらに好ましい。粒子径が小さすぎると紙の内部に粒子が浸透してしまって表面で皮膜が形成できないという問題があり、粒子径が大きすぎると熱をかけても十分な皮膜を形成できず、吐出時にノズルに粒子が詰まるという問題がある。熱可塑性樹脂の重量パーセント濃度は、１ｗｔ％以上４０ｗｔ％以下の範囲が好ましく、５ｗｔ％以上３０ｗｔ％以下の範囲がさらに好ましく、１０ｗｔ％以上２０ｗｔ％以下の範囲がさらに好ましい。
【０２７０】
熱可塑性樹脂の濃度が低いと熱可塑性樹脂同士が十分に皮膜を形成せず、一部に欠陥ができてしまうという問題があり、濃度が高いと液の保存安定性が悪く（樹脂が析出する）、粘度が高すぎるという問題がある。
【０２７１】
本例で用いる熱可塑性樹脂は、上述したガラス転移温度Ｔｇ、粒子径、重量パーセント濃度の各条件を満たすものであればいずれでもよく、具体的には、オレフィン重合体及び共重合体、塩化ビニル共重合体、塩化ビニリデン共重合体、アルカン酸ビニル重合体及び共重合体、アルカン酸アリル重合体及び共重合体、スチレン及びその誘導体の重合体及び共重合体、オレフィン−スチレンオレフィン−不飽和カルボン酸エステル共重合体、アクリロニトリル共重合体、メタクリロニトリル共重合体、アルキルビニルエ−テル共重合体、アクリル酸エステル重合体及び共重合体、メタクリル酸エステル重合体及び共重合体、スチレン−アクリル酸エステル共重合体、スチレン−メタクリル酸エステル共重合体、イタコン酸ジエステル重合体及び共重合体、無水マレイン酸共重合体、アクリルアミド共重合体、メタクリルアミド共重合体、水酸基変性シリコン樹脂、ポリカーボネート樹脂、ケトン樹脂、ポリエステル樹脂、シリコン樹脂、アミド樹脂、水酸基及びカルボキシル基変性ポリエステル樹脂、ブチラール樹脂、ポリビニルアセタール樹脂、環化ゴム−メタクリル酸エステル共重合体、環化ゴム−アクリル酸エステル共重合体、複素環を含有する共重合体（複素環として例えば、フラン環、テトラヒドロフラン環、チオフェン環、ジオキサン環、ジオキソフラン環、ラクトン環、ベンゾフラン環、ベンゾチオフェン環、１，３−ジオキセタン環等）、セルロース系樹脂、脂肪酸変性セルロース系樹脂、エポキシ樹脂等が挙げられる。
【０２７２】
次に、上述した熱可塑性樹脂を溶解若しくは分散させる非水溶媒について述べる。本例に用いる非水溶媒としては、上述した熱可塑性樹脂を安定的に溶解若しくは分散させておくことができ、溶媒自身が紙に浸透してもカールを起こさない、若しくはカールが軽微であるものであればよい。具体的には、直鎖状もしくは分枝状の脂肪族炭化水素、脂環式炭化水素又は芳香族炭化水素、及びこれらのハロゲン置換体を用いることができる。例えばオクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＥ、アイソパーＧ、アイソパーＨ、アイソパーＬ（アイソパー；エクソン社の商品名）、シェルゾール７０、シェルゾール７１（シェルゾール；シェルオイル社の商品名）、アムスコＯＭＳ、アムスコ４６０溶剤（アムスコ；スピリッツ社の商品名）等を単独あるいは混合して用いることができる。
【０２７３】
（浸透抑制剤の組成例）
以下に、浸透抑制剤の組成例を挙げる。
【０２７４】
下記〔化１〕に示す構造の分散安定用樹脂〔Ｑ−１〕１０ｇ、酢酸ビニル１００ｇ及びアイソパーＨ(エクソン社商品名)３８４ｇの混合溶液を窒素気流下攪拌しながら温度７０℃に加温した。重合開始剤として２，２′−アゾビス（イソバレロニトリル）（略称Ａ．Ｉ．Ｖ．Ｎ．）０．８ｇを加え、３時間反応した。開始剤を添加して２０分後に白濁を生じ、反応温度は８８℃まで上昇した。更に、該開始剤を０．５ｇ加え、２時間反応した後、温度を１００℃に上げ２時間攪拌し未反応の酢酸ビニルを留去した。冷却後２００メッシュのナイロン布を通し、得られた白色分散物は重合率９０％で平均粒径０．２３μｍの単分散性良好なラテックスであった。粒径はＣＡＰＡ−５００（堀場製作所（株）製）で測定した。
【０２７５】
【化１】
2009226851.tif 000009
【０２７６】
上記白色分散物の一部を遠心分離機（回転数１×１０4 ｒ．ｐ．ｍ．、回転時間６０分）にかけて、沈降した樹脂粒子分を補集、乾燥し、該樹脂粒子分の重量平均分子量（Ｍｗ）とガラス転移点（Ｔｇ）、最低造膜温度(ＭＦＴ)を測定したところ、Ｍｗは２×１０5 （ポリスチレン換算ＧＰＣ値）、Ｔｇは３８℃、ＭＦＴは２８℃であった。
【０２７７】
このようにして作製した浸透抑制剤溶液を用紙２１４上に付与した。付与時にはドラムにより用紙２１４を加熱し、付与後には熱風を送風してアイソパーＨを蒸発させた。
【０２７８】
＜処理液（凝集処理剤）＞
以下に、処理液の組成例を挙げる。
【０２７９】
クエン酸（和光純薬製）                                  ：１６．７％
ジエチレングリコールモノメチルエーテル（和光純薬製）    ：２０．０％
Ｚｏｎｙｌ  ＦＳＮ−１００（デュポン社製）              ：  １．０％
イオン交換水                                            ：６２．３％
上記反応液の物性値を測定したところ、粘度４．９ｍＰａ・ｓ、表面張力２４．３ｍＮ／ｍ、ｐＨ１．５であった。
【０２８０】
＜インク＞
以下に、インクの組成例を挙げる。
【０２８１】
（ポリマー分散剤Ｐ−１の調製）
攪拌機、冷却管を備えた１０００ｍｌの３口フラスコにメチルエチルケトン８８ｇを加え窒素雰囲気下で７２℃に加熱し、ここにメチルエチルケトン５０ｇにジメチル２，２’−アゾビスイソブチレート０．８５ｇ、ベンジルメタクリレート６０ｇ、メタクリル酸１０ｇ、メチルメタクリレート３０ｇを溶解した溶液を３時間かけて滴下した。滴下終了後、さらに１時間反応した後メチルエチルケトン２ｇにジメチル２，２’−アゾビスイソブチレート０．４２ｇを溶解した溶液を加え、７８℃に昇温し４時間加熱した。得られた反応溶液は大過剰量のヘキサンに２回再沈殿し、析出した樹脂を乾燥してポリマー分散剤Ｐ−１を９６ｇ得た。
【０２８２】
得られた樹脂の組成は１Ｈ−ＮＭＲで確認し、ＧＰＣより求めた重量平均分子量（Ｍｗ）は４４６００であった。さらに、ＪＩＳ規格（ＪＩＳＫ００７０：１９９２）記載の方法により、このポリマーの酸価を求めたところ、６５．２ｍｇＫＯＨ／ｇであった。
（シアン分散液の調製）
ピグメントブルー１５：３（大日精化株式会社製  フタロシアニンブル−Ａ２２０）を１０部と、上記で得られたポリマー分散剤Ｐ−１を５部と、メチルエチルケトンを４２部と、１ｍｏｌ／Ｌ  ＮａＯＨ水溶液を  ５．５部と、イオン交換水８７．２部とを混合し、ビーズミルで０．１ｍｍΦジルコニアビーズを使い、２〜６時間分散した。
【０２８３】
得られた分散物を減圧下５５℃でメチルエチルケトンを除去し、さらに一部の水を除去することにより、顔料濃度が１０．２質量％のシアン分散液を得た。
【０２８４】
上記のようにして、色材としてのシアン分散液を調液した。
【０２８５】
上記で得られた色材（シアン分散液）を用いて、下記インク組成となるように各成分を混合して、インク１（インクジェット記録液）を作製した。
【０２８６】
（インクの組成例）
シアン顔料（ピグメントブルー１５：３）                    ：４％
ポリマー分散剤（上記、Ｐ−１）                            ：２％
トリオキシプロピレングリセリルエーテル                    ：１５％
（サンニックスＧＰ−２５０（三洋化成工業（株）製）
オルフィンＥ１０１０（日信化学製、界面活性剤）            ：１％
イオン交換水                                              ：７８％
なお、上記に挙げた各液体の組成はあくまでも一例であり、本発明の趣旨を逸脱しない範囲で変更可能であることはいうまでもない。
【０２８７】
本例では、記録媒体（用紙）上にカラー画像を記録するインクジェット記録装置を例示したが、本発明の適用範囲はインクジェット記録装置に限定されず、浸透性を有する記録媒体に対して液体を用いてパターンなどの形状を形成する画像記録装置（画像形成装置）や液体吐出装置などに広く適用することが可能である。
【図面の簡単な説明】
【０２８８】
【図１】本発明に係る画像記録方法を説明する概念図
【図２】本発明の実施形態に係るインクジェット記録装置の全体構成図
【図３】図２に示すインクジェット記録装置の印字部周辺の要部平面図
【図４】図２に示すヘッドの構成例を示す平面透視図
【図５】図６中５−５線に沿う断面図
【図６】図４に示すヘッドのノズル配列を示す拡大図
【図７】図２に示すインクジェット記録装置におけるインク供給系の構成を示す概要図
【図８】図２に示すインクジェット記録装置のシステム構成を示す要部ブロック図
【図９】本発明に係る画像記録方法におけるドット配置を示す概念図
【図１０】図９に示すドット配置の他の態様を示す概念図
【図１１】図９に示すドット配置の更に他の態様を示す概念図
【図１２】図９〜図１１に示すドット配置の更に他の態様を示す概念図
【図１３】本発明の第１制御例に係る浸透抑制剤付与制御の流れを示すフローチャート
【図１４】本発明の第２制御例に係る浸透抑制剤付与制御を説明する概念図
【図１５】本発明の他の装置構成例に係るインクジェット記録装置の全体構成図
【符号の説明】
【０２８９】
１…浸透抑制剤、２…処理液、３…インク液滴、１０，２００…インクジェット記録装置、１２，２０８…印字部、１６，２１４…用紙、１８，２０６…浸透抑制剤付与部、２２…処理液付与部、２０…浸透抑制剤乾燥部、２４…処理液乾燥処理部、３０，２４４…センサ、７２…システム制御部、７４…画像メモリ、８０…プリント制御部、８４…ヘッドドライバ、９０…浸透抑制剤ヘッドドライバ、９２…処理液ヘッドドライバ、９４…演算部、２３２…浸透抑制剤乾燥ユニット、２３６…処理液ヘッド、２３８…処理液乾燥ユニット
【図１】
2009226851.tif 000010
【図２】
2009226851.tif 000011
【図３】
2009226851.tif 000012
【図４】
2009226851.tif 000013
【図５】
2009226851.tif 000014
【図６】
2009226851.tif 000015
【図７】
2009226851.tif 000016
【図８】
2009226851.tif 000017
【図９】
2009226851.tif 000018
【図１０】
2009226851.tif 000019
【図１１】
2009226851.tif 000020
【図１２】
2009226851.tif 000021
【図１３】
2009226851.tif 000022
【図１４】
2009226851.tif 000023
【図１５】
2009226851.tif 000024